(57)【要約】【課題】  個々のモニタの表示特性に応じた高精度な補正を行うモニタプロファイルを容易に作成するモニタプロファイル作成システム等を提供する。【解決手段】  モニタ特性測定装置１０１は、測定対象となる接続されているモニタ２０７にモニタの表示特性を測定する各処理画面を表示し、「モニタ種類の選択」でモニタ２０７の種類に応じたＲＧＢ原色の色度を設定し、「階調の調整」で、目視または測定器１０５を用いて、無彩色のグラデーションによってＲＧＢ原色の階調再現特性を測定し、「白色色度の調整」で、目視または測定器１０５を用いて、当該基準白色を所定の照明環境下で測色し、白色色度を測定し、「プロファイルの作成」で、これらの測定結果のデータから、モニタプロファイル３０２を作成、保持する。【選択図】  図７
2005208982.tif 000002
【特許請求の範囲】
【請求項１】
三原色ＲＧＢを用いてカラー画像を表示する機能をもったカラーモニタに接続する端末装置からなる、モニタプロファイルを作成するシステムであって、
前記カラーモニタの種類に応じてＲＧＢ原色の色度を設定するＲＧＢ原色色度設定手段と、
前記カラーモニタの表示輝度と階調値に基づいたＲＧＢ原色の階調再現特性を測定する階調再現特性測定手段と、
前記カラーモニタの白色色度を測定する白色色度測定手段と、
前記ＲＧＢ原色の色度、前記ＲＧＢ原色の階調再現特性、前記白色色度等のデータから、モニタプロファイルを作成、保持するモニタプロファイル作成手段と、
を具備することを特徴とするモニタプロファイル作成システム。
【請求項２】
前記階調再現特性測定手段は、目視または測定器を用いて、前記階調再現特性を測定することを特徴とする請求項１記載のモニタプロファイル作成システム。
【請求項３】
前記白色色度測定手段は、基準白色を選択し、目視または測定器を用いて、当該基準白色を、所定の照明環境下で測色し、白色色度を測定することを特徴とする請求項１記載のモニタプロファイル作成システム。
【請求項４】
予め、前記カラーモニタの種類ごとに、ＲＧＢ原色の色度の組み合わせを保持しておくことを特徴とする請求項１記載のモニタプロファイル作成システム。
【請求項５】
前記階調再現特性測定手段は、前記カラーモニタの種類に応じて、明るさが変わるように階調値を変動させる明るさ変動操作と、色が変わるように階調値を変動させる色変動操作とを行い、前記階調再現特性を調整することを特徴とする請求項１記載のモニタプロファイル作成システム。
【請求項６】
前記カラーモニタの種類は、ＣＲＴカラーディスプレイ、液晶カラーディスプレイ、ノートパーソナルコンピュータディスプレイ等の少なくとも１つを含むことを特徴とする請求項１記載のモニタプロファイル作成システム。
【請求項７】
コンピュータを請求項１から請求項６のいずれかに記載のモニタプロファイル作成システムとして機能させるプログラム。
【請求項８】
コンピュータを請求項１から請求項６のいずれかに記載のモニタプロファイル作成システムとして機能させるプログラムを記録した記録媒体。
【発明の詳細な説明】
【技術分野】
【０００１】
本発明は、カラーモニタにおける階調再現特性、白色色度等の測定、調整を行い、モニタプロファイルを作成するモニタプロファイル作成システムに関する。
【背景技術】
【０００２】
一般に、モニタ（ディスプレイ装置）は、個々の製品ごとに表示特性が異なり、パーソナルコンピュータなどに接続して利用する場合、個々の表示特性に応じた補正を行うのが好ましい。このような補正を行うには、予め個々のモニタの表示特性を測定し、その結果を客観的なデータとして用意しておく必要がある。通常、このようなデータは、個々のモニタのプロファイルデータと呼ばれている。パーソナルコンピュータにモニタを接続して利用する場合、当該モニタのプロファイルデータをパーソナルコンピュータに組み込んでおけば、このプロファイルデータに基づく補正が可能になり、個々のモニタに固有の表示特性に左右されない普遍的な表示結果を得ることができるようになる。
【０００３】
三原色ＲＧＢを用いてカラー画像を表示する機能をもったカラーモニタの代表的な表示特性は、三原色の色度、白色の色度、階調再現特性である。ここで、階調再現特性は、入力信号階調値と実際の表示輝度との関係を示す特性であり、通常、ガンマ特性と呼ばれている。この階調再現特性に応じた補正を行わないと、全く同一の画像データに基づいて表示を行っても、個々のモニタごとに輝度分布の異なる画像表示が行われてしまうことになる。したがって、実用上、個々のモニタに固有の階調再現特性に応じた補正（いわゆるガンマ補正）を行うことは、非常に重要な事項になる。たとえば、下記の特許文献１には、このようなガンマ
補正の一般的な方法が開示されている。
【０００４】
個々のモニタについての階調再現特性を測定する手法としては、光学的な測定装置を用いて物理的な特性データを得る手法もあるが、通常は、人間の目による目視を行いながら特性データを得る手法が採られる。これは、モニタを利用するのはあくまでも人間であるので、純然たる物理的な測定方法で得られた特性データよりも、人間の目視による感覚的な輝度を基準とした測定方法で得られた特性データの方が好ましいためである。たとえば、下記の特許文献２には、目視により階調再現特性を得る方法が開示されている。
【０００５】
また、白色の色度は、個々のカラーモニタに白色表示を行わせる場合に必要な三原色ＲＧＢの階調値として求められる。パーソナルコンピュータ上で動作しているアプリケーションプログラムが、モニタに白色を表示させたい場合には、この白色の色度として求められている三原色ＲＧＢの階調値を、モニタに対して与える処理を行えばよい。
【０００６】
この白色の色度は、光学的な測定器を用いた物理的な測定により求めることができ、一般的な商用カラーモニタには、出荷時に測定された白色の色度が、モニタプロファイルデータとして添付されることが多い。また、最近では、特別な測定器を用いることなしに、モニタに接続されたパーソナルコンピュータなどに専用のプログラムを組み込むことにより、白色の色度を求める方法も提案されている。たとえば、下記の特許文献３には、オペレータの目視により、白色の色度を測定する方法が開示されている。
【０００７】
また、従来の一般的なモニアプロファイル作成の処理手順は、まず、階調再現特性測定点数を決定する。階調再現特性測定点数をあらかじめ決めておいてもよい。次に、白色点とＲＧＢ原色の測定を行う。さらに、測定点数分だけ、赤（Ｒ）、緑（Ｇ）、青（Ｂ）単色のカラーパッチを測色する。最後に、測色結果をもとに、モニタプロファイルを作成する。
【０００８】
【特許文献１】特開平０７−１６２７１４号公報
【特許文献２】特許第２８８９０７８号公報
【特許文献３】特開２０００−０２９４４４号公報
【発明の開示】
【発明が解決しようとする課題】
【０００９】
上述したように、個々のモニタについて、目視により階調再現特性を得ることは、人間の目の感度特性に合致した補正を行う上で非常に重要であるが、従来提案されている目視による測定方法や測定装置では、十分な精度をもった階調再現特性を求めることができないという問題がある。特に、印刷物を作成するＤＴＰ処理に利用されるカラーモニタの場合、より精度の高い階調再現特性を求め、より精度の高い補正を行う必要性があるが、従来の技術では、液晶カラーディスプレイや、経年変化が生じたＣＲＴカラーモニタに対して、十分な精度をもった測定が困難である。
【００１０】
加法混色の成立するモニタでは、ＲＧＢ原色の色度と階調再現特性が分かっていれば、ＲＧＢ値から、測色値を予測することができる。この原理から、３原色の階調再現特性をキャリブレーションし合わせると、ＲＧＢ等量の無彩色(白色〜グレー〜黒色)の色度はすべて同じになることが分かる。例えば、（ＲＧＢ)＝（２５５，２５５，２５５)、(１２８，１２８，１２８)、(０，０，０)のｘｙ色度は同じである。ＣＲＴモニタは、加法混色がよく成立することが分かっている。
【００１１】
しかし、液晶モニタでは、加法混色が成立しない。図３５は、液晶モニタの色再現原理７００を示す。液晶モニタは、図３５に示す仕組みで色を表示する。
まず、バックライトが発光する。バックライトには、冷陰極管や発光ダイオードなどが用いられる。次に、バックライトの光は、液晶シャッタを通過する。液晶シャッタは、印加電圧に応じて、透過率を変化させることができるため、液晶シャッタの透過率を変化させることによって、発光強度を変化させることができる。液晶シャッタを透過した光は，ＲＧＢの３色のカラーフィルタを透過することにより、３色に発光する。
【００１２】
このような仕組みによって、液晶モニタは発光するが、液晶シャッタは、透過率だけでなく、透過率によって、色度も変化させてしまうという問題点を持っている。具体的には、透過率が下がると、青みが強くなる特性を持っている。そのため、ＲＧＢ３原色の色度が、階調値に応じて変化してしまう。従来の手法で作成したモニタプロファイルでは、ＲＧＢ３原色の色度は、階調値にかかわらず不変であることが前提として作成されている。したがって、モニタにあるＲＧＢ値を与えて発光させたときに得られる色度を、従来の手法で作成したモニタプロファイルを使用して計算した予想値と、実際に測定して得た測定値との差が大きくなってしまうという問題点があった。
【００１３】
また、上述したように、個々のモニタについて、白色色度を示すモニタプロファイルデータを用意しておき、このプロファイルデータに基づく白色表示特性の補正を行えば、個々のモニタに固有の表示特性に左右されない普遍的な白色表示を行うことが可能になる。しかしながら、従来のプロファイルデータは、個々のモニタ自身の物理的な白色表示特性を示すものであって、モニタを特定の照明環境下においたときのオペレータから見た視覚的な特性を示すものではない。このため、同じ照明環境下で使用する複数台のカラーモニタについては、従来の方法で測定された白色色度を示すモニタプロファイルデータを用いて白色表示特性の補正を行えば、ほぼ同一の白色再現性が得られることになるが、異なる照明環境下で使用する複数台のカラーモニタについては、同一の白色再現性を得ることはできない。これは、実用上、大きな問題となる。
【００１４】
たとえば、商用印刷物を作成するＤＴＰ処理では、多数のスタッフがカラーモニタを見ながら、それぞれに分担された作業を進めてゆくのが一般的である。ところが、各スタッフが作業を行う部屋の照明環境は、必ずしも同一にはならない。たとえば、出版会社内部の編集者の作業環境と、外部のデザイン事務所のデザイナーの作業環境とは、通常、異なるのが当然である。具体的には、室内照明が蛍光灯か電球か、室内の壁紙が何色か、太陽光が差し込むか否か、などの条件によって、個々の照明環境は大幅に異なることになる。このような場合、従来の方法で測定された白色色度（モニタごとの純粋な白色色度）による補正を行ったとしても、各スタッフがモニタ上で目視する白色の色合いは、それぞれの照明環境の影響を受けて異なるものになってしまう。
【００１５】
本発明は、以上の点に鑑みてなされたものであり、個々のモニタの表示特性に応じた高精度な補正を行うモニタプロファイルを容易に作成するモニタプロファイル作成システム等を提供することを目的とする。
【課題を解決するための手段】
【００１６】
前述した目的を達成するために第１の発明は、三原色ＲＧＢを用いてカラー画像を表示する機能をもったカラーモニタに接続する端末装置からなる、モニタプロファイルを作成するシステムであって、前記カラーモニタの種類に応じてＲＧＢ原色の色度を設定するＲＧＢ原色色度設定手段と、前記カラーモニタの表示輝度と階調値に基づいたＲＧＢ原色の階調再現特性を測定する階調再現特性測定手段と、
前記カラーモニタの白色色度を測定する白色色度測定手段と、前記ＲＧＢ原色の色度、前記ＲＧＢ原色の階調再現特性、前記白色色度等のデータから、モニタプロファイルを作成、保持するモニタプロファイル作成手段と、を具備することを特徴とするモニタプロファイル作成システムである。
【００１７】
また、前記階調再現特性測定手段は、目視または測定器を用いて、前記階調再現特性を測定することが望ましい。
また、前記白色色度測定手段は、基準白色を選択し、目視または測定器を用いて、当該基準白色を、所定の照明環境下で測色し、白色色度を測定することが望ましい。
また、前記階調再現特性測定手段は、前記カラーモニタの種類に応じて、明るさが変わるように階調値を変動させる明るさ変動操作と、色が変わるように階調値を変動させる色変動操作とを行い、前記階調再現特性を調整することが望ましい。
【００１８】
第１の発明では、端末装置は、接続するカラーモニタの種類に応じてＲＧＢ原色の色度を設定し、カラーモニタの表示輝度と階調値に基づいたＲＧＢ原色の階調再現特性を測定し、カラーモニタの白色色度を測定し、ＲＧＢ原色の色度、ＲＧＢ原色の階調再現特性、白色色度等のデータから、モニタプロファイルを作成、保持する。
【００１９】
「モニタプロファイル」とは、カラーモニタの代表的な表示特性である三原色ＲＧＢの色度、階調再現特性、白色の色度等のモニタプロフロファルデータを格納したものである。カラーモニタ個々の製品ごとに表示特性が異なり、パーソナルコンピュータなどに接続して利用する場合、個々の表示特性に応じた補正を行うのが好ましい。このような補正を行うには、予め個々のモニタの表示特性を測定し、その結果を客観的なデータとして用意しておく必要がある。通常、このようなデータを、個々の「モニタプロフロファルデータ」と呼ばれている。
「階調再現特性」とは、入力信号階調値と実際の表示輝度との関係を示す特性であり、通常、ガンマ特性と呼ばれている。
「白色の色度」とは、個々のカラーモニタに白色表示を行わせる場合に必要な三原色ＲＧＢの階調値として求められる。
「測定器」とは階調再現特性や白色の色度を測定する際、目視の代わりに、カラーパターンや白色を測色し、非接触型や接触型の測色器がある。
【００２０】
第２の発明は、コンピュータを第１の発明のモニタプロファイル作成システムとして機能させるプログラムである。
第３の発明は、コンピュータを第１の発明のモニタプロファイル作成システムとして機能させるプログラムを記録した記録媒体である。
【００２１】
上述のプログラムをＣＤ−ＲＯＭ等の記録媒体に保持させて流通させてもよいし、このプログラムを通信回線を介して送受することもできる。
【発明の効果】
【００２２】
本発明は、個々のモニタの表示特性に応じた高精度な補正を行うモニタプロファイルを容易に作成するモニタプロファイル作成システム等を提供することができる。
【発明を実施するための最良の形態】
【００２３】
以下に、添付図面を参照しながら、本発明に係るモニタプロファイル作成システム等の好適な実施形態について詳細に説明する。なお、以下の説明および添付図面において、略同一の機能構成を有する構成要素については、同一の符号を付することにより重複説明を省略することにする。
【００２４】
図１は、本発明の本実施の形態に係るモニタプロファイル作成システム１００の概略構成を示す図である。図１に示すように、モニタプロファイル作成システム１００は、測定対象となるモニタ２０７を接続したモニタ特性測定装置１０１、測定器１０５等から構成される。
【００２５】
モニタ特性測定装置１０１は、測定対象となるカラー画像を表示する機能をもったモニタ２０７を接続したパーソナルコンピュータ等である。モニタ特性測定装置１０１は、階調再現特性、三原色の色度、白色の色度などの特性を測定し、モニタプロファイルを作成するためのプログラムを予め組み込んでおき、このプログラムを動作させることにより、モニタ２０７の画面上に後述するようなテストパターンを表示して、入力部２０５を利用してオペレータからの応答を得ることにより、測定に必要なデータの取り込みを行い、これらの測定結果を、モニタプロファイルデータとして、モニタプロファイルを作成、設定する。
【００２６】
プロファイルデータの測定対象となるモニタ２０７は、カラー画像を表示する機能を有し、いわゆるＣＲＴモニタに限らず、液晶モニタ、ノートパーソナルコンピュータ（ＰＣ）ディスプレイなども含まれる。なお、本明細書における「モニタ」とは、「ディスプレイ装置」と同義であり、電気信号に基づいて画像を提示する機能をもった装置を広く含むものである。また、モニタ２０７とモニタ特性測定装置１０１とを接続する際、通常、画像信号を受け渡すためのインターフェイスとして機能するグラフィックボードが用いられるが、このグラフィックボードのような画像処理回路は、モニタ２０７の表示特性を左右する構成要素であるから、モニタ特性測定装置による測定対象物の一部を構成するものである。別言すれば、本発明において「モニタ２０７」とは、グラフィックボードのような画像処理回路も含んだ概念になる。
【００２７】
測定器１０５は、モニタのような発光物体の色を測色可能な測色器であり、階調再現特性や白色の色度を測定する際、目視の代わりに、カラーパターンや白色を測色する非接触型や接触型の測色器がある。例えば、代表的な機種としては、
ＧｒｅｔａｇＭａｃｂｅｔｈ社製Ｓｐｅｃｔｒｏｌｉｎｏがあげられる。
【００２８】
モニタ２０７とモニタ特性測定装置１０１（パーソナルコンピュータ）の接続は、モニタ特性測定装置１０１（パーソナルコンピュータ）に内蔵されたビデオカードを介して、ＶＧＡケーブル、ＤＶＩケーブル、ＢＮＣケーブルなどによって行われる。測定器１０５は、シリアル、ＵＳＢ、ＩＥＥＥ１３９４、その他の方式でモニタ特性測定装置１０１と接続される。モニタ特性測定装置１０１（パーソナルコンピュータ）は、測定器１０５にコマンドを送ることにより測定器１０５を制御し、測色値を得ることができる。
【００２９】
図３６は、目視により階調再現特性、白色の色度等を測定するモニタプロファイル作成システム１００の概略構成を示す図である。図３６に示すように、測定器１０５を用いず、目視により階調再現特性、白色の色度等を測定するモニタプロファイル作成システム１００は、測定対象となるモニタ２０７を接続したモニタ特性測定装置１０１等から構成される。
【００３０】
次に、モニタ特性測定装置１０１のハードウェア構成を説明する。図２は、モニタ特性測定装置１０１のハードウェア構成図である。
【００３１】
図２に示すようにモニタ特性測定装置１０１は、制御部２０１、記憶装置２０２（ハードディスク、外部メモリ）、メディア入出力部２０３（ＣＤ−ＲＯＭ）、通信制御部２０４（通信制御装置、通信ポート等）、入力部２０５（キーボード、マウス等）、印刷部２０６（プリンタ）、モニタ２０７（ディスプレイ）等が、バス２０９を介して接続される。
【００３２】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００３３】
記憶装置２０２（ハードディスク）には、各構成部分を駆動制御するプログラム、階調再現特性、三原色の色度、白色の色度などの特性を測定し、モニタプロファイルを作成するプログラム等のアプリケーションプログラム、及びモニタ種類ごとのＲＧＢ原色の色度データや作成したモニタプロファイル等が記憶されている。
【００３４】
これらの各プログラムコードは、制御部２０１により必要に応じて読み出されてＲＡＭに移され、ＣＰＵに読み出されて各種の手段として実行される。
【００３５】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００３６】
通信制御部２０４は、通信制御装置、通信ポート等であり、通信制御を行う。
【００３７】
入力部２０５は、キーボード、マウス等であり、モニタ２０７に表示されたテストパターンに対する一致結果等の応答やモニタ種類等を入力する。
モニタ２０７は、前述したように、カラー画像を表示する機能を有し、ＣＲＴモニタ、液晶モニタ、ノートＰＣディスプレイ等であり、操作案内や、モニタ２０７の画面上に後述するようなテストパターンを表示して、入力部２０５を利用してオペレータからの応答を得ることにより、測定に必要なデータの取り込みを行う。
印刷部２０６は、プリンタであり、印刷出力処理を行う。
【００３８】
次に、記憶装置２０２におけるモニタプロファイル作成システム関連のファイル配置について説明する。図３は、記憶装置２０２におけるモニタプロファイル作成システム関連のファイル配置を示す。図３に示すように、記憶装置２０２内には、ＲＧＢ原色色度データ３０１、モニタプロファイル３０２、及び制御プログラム３２１、モニタプロファイル作成ツールプログラム３２２等が格納されている。
【００３９】
ＲＧＢ原色色度データ３０１は、モニタ種類別に複数のＲＧＢ原色の色度の組み合わせを格納する。モニタ種類別のＲＧＢ原色の色度は、モニタ種類別に様々のモニタの平均値から求めたデータである。
モニタプロファイル３０２は、ＲＧＢ原色ごとの色度、ＲＧＢ原色ごとの階調再現特性を示すトーン曲線、白色色度等のデータを格納する。
【００４０】
制御プログラム３２１は、モニタ特性測定装置１０１の各構成部分を駆動制御するプログラムである。
モニタプロファイル作成ツールプログラム３２２は、階調再現特性、三原色の色度、白色の色度などの特性を測定し、モニタプロファイルを作成するための実行可能プログラムである。
【００４１】
次に、モニタプロファイル作成システム１００の処理の流れを説明する。図４、図５は、モニタプロファイル作成システム１００の処理手順を示すフローチャートである。
【００４２】
図４に示すように、モニタ特性測定装置１０１の制御部２０１は、モニタ２０７上にモニタ種類の選択画面６０１を表示する（ステップＳ１０１）。
図６は、モニタ種類の選択画面６０１を示す。図６に示すように、モニタ種類の選択画面６０１は、処理の流れ６１０と現行処理部６１９、モニタ種類６２０、強制終了ボタン６３０等からなる。処理の流れ６１０は、モニタ種類の選択６１１、階調の調整６１２、白色の調整６１３、プロファイルの作成６１４、プロファイルの設定６１５等の処理からなり、現行処理部６１９（「モニタ種類の選択」６１１）を示す。モニタ種類６２０は、「ＣＲＴ」、「液晶モニタ」、「ノートＰＣ」、「その他」等がある。
オペレータは、モニタ２０７の種類（例えば、「ノートＰＣ」）を選択する。
【００４３】
制御部２０１は、入力されたモニタ種類６２０に応じて、記憶装置２０２から、モニタ種類別ＲＧＢ原色の色度データ３０１を設定する（ステップＳ１０２）。
【００４４】
制御部２０１は、モニタ２０７上に階調の調整画面６０２を表示する（ステップＳ１０３）。
図７は、階調の調整画面６０２を示す。図７に示すように、階調の調整画面６０２は、処理の流れ６１０と現行処理部６１９、テストパターンＴ１、明るさ種別６２２、測定段階ステータス６２３、強制終了ボタン６３０、ＳＴＯＰボタン６３１等からなる。
【００４５】
処理の流れ６１０は、モニタ種類の選択６１１、階調の調整６１２、白色の調整６１３、プロファイルの作成６１４、プロファイルの設定６１５等の処理からなり、現行処理部６１９（「階調の調整」６１２）を示す。
【００４６】
テストパターンＴ１は、互いに接するように配置された第１属性の領域５０と第２属性の領域６０とによって構成されるパターンであり、円形をした第１属性の領域５０が所定ピッチで二次元平面状に配置されており、その背景部分が第２属性の領域６０を構成している。第１属性の領域５０内には、明るさと色が一様なＲＧＢの階調値の組み合わせに基づく均一パターンが表示され、第２属性の領域６０内には、所定の参照輝度を有する参照パターンが表示される。
明るさ種別６２２は、参照パターンの参照輝度を表し、例えば、３通りの参照輝度をもった参照パターン「明るい色」、「中間の色」、「暗い色」等を用意する。参照輝度７５％を「明るい色」、参照輝度５０％を「中間の色」、参照輝度２５％を「暗い色」とする。
【００４７】
自動的に明るさ変動操作と色変動操作を行う階調値の変動操作を実行させる本実施の形態の場合は、オペレータからの操作入力を待たずして、明るさ変動操作および色変動操作を実行する。
階調値変動操作は、明るさ種別６２２に示すように、例えば、参照輝度７５％の「明るい色」、参照輝度５０％の「中間の色」、参照輝度２５％の「暗い色」等の所定の参照輝度の参照パターンに対して、それぞれ、均一パターンの明るさ変動操作と色変動操作を交互に、変動量を徐々に小さくしながら、繰り返し実行する。
【００４８】
階調値変動操作が行われている状態において、モニタ２０７の画面上に表示されたテストパターンＴ１を目視するオペレータは、第１属性の領域５０と第２属性の領域６０との明るさおよび色がともに一致認識した時、ＳＴＯＰボタン６３１をクリックする。例えば、４巡（４段階）：「段階１」おおまかな明るさの調整一致認識、「段階２」おおまかな色の一致認識、「段階３」よりきめの細かい明るさの一致認識、「段階４」よりきめの細かい色の一致認識等を行い、制御部２０１は、徐々に、調整の精度を上げて、階調再現特性を測定する。
【００４９】
測定段階ステータス６２３は、階調値変動操作に応じた現状の階調再現特性の測定段階（例えば、段階３（３巡目）等）を示す。モニタ２０７が液晶モニタの場合、加法混色が成り立たないので、明るさ変動操作と色変動操作を交互に繰り返し、徐々に精度を上げ、例えば４段階測定を行うが、ＣＲＴモニタの場合は、加法混色が成り立つので、色変動操作による一致認識は行わず、明るさのみの一致認識を徐々に精度を上げて(最初は粗く、次に細かく)、例えば、２段階測定を行う。
【００５０】
制御部２０１は、入力された一致信号に基づいて、階調再現特性の測定、調整処理を行う（ステップＳ１０４）。尚、本実施の形態では、オペレータによる目視により、階調再現特性を測定するが、測定器１０５を用いて、測定する実施例を後述、説明する。
制御部２０１は、求めたＲＧＢ原色の階調再現特性を示すトーン曲線をモニタプロファイルデータとする（ステップＳ１０５）。
【００５１】
尚、後述、階調再現特性の測定方法については、階調値を自動的に変動させる方法に加え、画面上に表示する操作パネルを利用して、オペレータに明るさや色を変動させるための操作入力を行わせ、階調値の変動操作を行う方法、テストパターン、モニタ特性測定装置１０１の基本構成等を詳しく説明する。
【００５２】
制御部２０１は、モニタ２０７上に白色の調整画面６０３を表示する（ステップＳ１０６）。
図７は、白色の調整画面６０３を示す。図７に示すように、白色の調整画面６０３は、処理の流れ６１０と現行処理部６１９、テストパターンＴ２、測定段階ステータス６２３、強制終了ボタン６３０、ＳＴＯＰボタン６３１等からなる。
【００５３】
処理の流れ６１０は、モニタ種類の選択６１１、階調の調整６１２、白色の調整６１３、プロファイルの作成６１４、プロファイルの設定６１５等の処理からなり、現行処理部６１９（「白色の調整」６１３）を示す。
【００５４】
テストパターンＴ２は、三原色ＲＧＢの階調値の組み合わせに基づいて、図示の例では、正方形の領域をもったテストパターンが表示されているが、表示されるテストパターンＴ２の大きさや形状は、特に限定されるものではない。予め基準となる白色を示す基準体ＲＥを用意し、モニタ２０７の画面上に表示させたテストパターンＴ２の色が、この基準体ＲＥの色と同じ色に見えるように調整を行う。基準体ＲＥは、オペレータが手に保持した実在の物体である。オペレータは、テストパターンＴの近傍に基準体ＲＥを配置し、両者の色を肉眼で比較しながら、比較結果をモニタ特性測定装置１０１に入力する作業を行うことになる。基準体ＲＥとしては、基準となる白色を示す物体であれば、どのようなものでもかまわない。たとえば、一般的なカード状の白紙、白いタイル等を基準体ＲＥとして用いることができる。
【００５５】
階調値を予め定められた所定の規則に従って時間とともに変動させる変動操作により、モニタ２０７の画面上に表示されるテストパターンＴ２の色も時々刻々と変化する。オペレータは、この時々刻々と変化するテストパターンＴ２の色と基準体ＲＥの色とを比較し、２つの色が一致認識した時、ＳＴＯＰボタン６３１をクリックする。この操作を、階調値の変動量および変動範囲を徐々に減少させながら（最初は粗く、徐々に細かくなり）、繰り返し実行する（例えば、４段階行う）。
測定段階ステータス６２３は、階調値変動操作に応じた現状の白色測定段階（例えば、段階３（３巡目）等）を示す。
【００５６】
制御部２０１は、入力された一致信号に基づき、白色色度の測定、調整処理を行う（ステップＳ１０７）。尚、本実施の形態では、基準白色を選択し、オペレータによる目視で、当該基準白色を測色し、白色色度を測定したが、測定器１０５を用いて、白色色度を測定してもよい。
制御部２０１は、当該基準白色の測色値を白色基準値として、モニタプロファイルデータとする（ステップＳ１０８）。
尚、後述、白色色度の測定方法については、詳しく説明する。
【００５７】
また、図４では、「階調の調整」（ステップＳ１０３〜Ｓ１０５）→「白色の調整」（ステップＳ１０６〜Ｓ１０８）の順で処理を行っているが、順序は逆でも構わない。
【００５８】
制御部２０１は、三原色ＲＧＢの色度、三原色ＲＧＢの階調再現特性を示すトーン曲線、白色色度等のデータを用いて、記憶装置２０２にモニタプロファイル３０２を生成する（ステップＳ１０９）。
制御部２０１は、保存先を指定するダイアログ（図示せず）を表示し、指定された保存先に、モニタプロファイル３０２を保存する（ステップＳ１１０）。
【００５９】
制御部２０１は、当該ＯＳの機能等を利用して（例えば、Ｗｅｂブラウザでの設定等）、モニタプロファイル３０２を設定する（ステップＳ１１１）。
【００６０】
次に、測定器１０５（測色器）を用いて階調再現特性を測定する場合について、詳しく説明する。図３２は、測定器１０５を用いたモニタプロファイル作成システム１００の処理手順を示すフローチャートである。尚、本処理は、請求項２の階調再現特性測定手段の測定器を用いて測定する実施例について述べたものである。
【００６１】
図３２に示すように、制御部２０１は、まず、目標値の設定として、階調再現特性を測定するための階調再現特性測定点数：Ｎを設定する（ステップＳ２０１）。各色８ビットの２５６階調で階調を再現するモニタの場合２５６点測定すれば、正確にモニタ２０７の階調再現特性を記述することが可能であるが、すべてを測定すると、時間がかかってしまうため、２５６点よりも少ない点を測定し、補間演算によって測定していない点の測色値を推測する手法が一般的である。測定点数としては、９〜３３点程度が一般的である。
【００６２】
制御部２０１は、ＲＧＢ原色の測定（ステップＳ２０２）と、白色の測色（ステップＳ２０３）を行う。ＲＧＢ原色は、赤（Ｒ）：(ＲＧＢ)＝(２５５，０，０)、緑（Ｇ）：(０，２５５，０)、青（Ｂ）：(０，０，２５５)の階調値を持つカラーパッチを表示し、測色する。白色は、(ＲＧＢ)＝(２５５，２５５，２５５)の階調値を持つカラーパッチを表示し、測色し、白色の色度（ｘｗｙｗ）を求める。図３２では、ＲＧＢ原色→白色の順で測色しているが、順序は逆でも構わない。
【００６３】
制御部２０１は、階調再現特性を測定する。制御部２０１は、測定点数ｉを初期設定する（ｉ＝０）（ステップＳ２０４）。
制御部２０１は、ＲＧＢ等量のカラーパッチを表示、測色し、測色値から、色度を求める（ステップＳ２０６）。色度としては、Ｙｘｙ表色系のｘｙ値、ＣＩＥ  ＬＡＢ表色系のａ＊ｂ＊値などを用いる。制御部２０１は、白色の色度（ｘｗｙｗ）と、測色値である測定カラーパッチの色度を比較し（ステップＳ２０７）、十分にその差が小さければ（ステップＳ２０７のＹｅｓ）、そのときのＲＧＢ値（Ｒｉ，Ｇｉ，Ｂｉ）を記録し、差がある場合には（ステップＳ２０７のＮｏ）、十分にその差が小さくなるまで、ＲＧＢ値の増減（ステップ２０８）と測色を繰り返し、そのときのＲＧＢ値（Ｒｉ，Ｇｉ，Ｂｉ）を記録する。
制御部２０１は、この操作を、目標値に設定した測定点数分だけ（測定点数ｉ＜Ｎの場合）繰り返す（ステップＳ２０５〜ステップ２０８）。
【００６４】
図３３は、階調再現特性の測定結果を示し、図３４は、図３３の結果から、階調再現特性のカーブをグラフ化したものである。
図３３に示すように、例えば測定点数９に対する、ＲＧＢ原色の各階調再現特性の測定値を示す。図３４に示すように、図３３の結果から、階調再現特性は、モニタに与えられる入力信号の階調値（ＲＧＢ値）と、モニタの画面上に得られる相対輝度（補正値）との関係を示すグラフになっている。ここでは、説明の便宜上、階調値が８ビットのデータで表現される０〜２５５の２５６段階をとるものとし、相対輝度を０〜１（モニタの能力に依存した、もしくは所定の設定に基づく最低輝度〜最高輝度）で表すことにする。三原色ＲＧＢのうち、赤（Ｒ）および緑（Ｇ）のグラフについては、ほぼ同一の階調再現特性が得られるのに対し、青（Ｂ）のグラフについては、やや上方に外れたカーブを描いており、異なる階調再現特性が得られる、という傾向である。
【００６５】
制御部２０１は、モニタプロファイル作成演算を行う（ステップＳ２０９）。モニタプロファイル３０２に記述するＲＧＢ原色、白色の色度点は、前のステップでの測定値を用いる。階調再現特性は、図３３の階調再現特性の測定結果から、補間演算で求める。
【００６６】
次に、階調再現特性の測定方法について、詳しく説明する。
＜＜＜  §１．従来の一般的な目視による階調再現特性の測定方法  ＞＞＞
はじめに、従来から一般的に行われている目視によるモニタの階調再現特性の測定方法の基本原理を説明する。通常、目視によりモニタ特性を測定する場合、測定対象となるモニタに接続したパーソナルコンピュータ内に、階調再現特性を測定するためのプログラムを予め組み込んでおき、このプログラムを動作させることにより、モニタの画面上に後述するようなテストパターンを表示させるようにし、パーソナルコンピュータの入力機器を利用してオペレータからの応答を得ることにより、測定に必要なデータの取り込みを行うことができる。
【００６７】
パーソナルコンピュータを用い、三原色の色度、階調再現特性、白色の色度などの特性を測定することが可能であり、これらの測定結果は、一般に、目視によるモニタプロファイルデータと呼ばれている。
【００６８】
図９は、モニタの一般的な階調再現特性を示すグラフである。図示のとおり、この階調再現特性は、モニタに与えられる入力信号の階調値と、モニタの画面上に得られる実際の表示輝度との関係を示すグラフになっている。ここでは、説明の便宜上、階調値が８ビットのデータで表現される０〜２５５の２５６段階をとるものとし、輝度を０％〜１００％（モニタの能力に依存した、もしくは所定の設定に基づく最低輝度〜最高輝度）で表すことにする。
【００６９】
この場合、図９のグラフに示されているとおり、最小階調値０と最低輝度０％とは一致し（グラフの原点Ｏ）、最大階調値２５５と最高輝度１００％とは一致する（グラフの点Ｐ）。これは、最小階調値０を示すデータが入力された場合には、最低輝度０％による表示を行い、最高階調値２５５を示すデータが入力された場合には、最高輝度１００％による表示を行うような設定が、モニタの回路（通常は、グラフィックボード上の回路）によってなされているからである。しかしながら、その中間の階調値と輝度との関係は、必ずしも線形の関係にはならない。これは、グラフィックボード上のＤ／Ａ変換回路などの特性に基づくものであり、この階調再現特性は、通常、個々のモニタの品種ごとに異なり、厳密に言えば、個々のロットごとによっても異なる。
【００７０】
一般的なＣＲＴモニタでは、階調再現特性を示すグラフが、「輝度＝階調値γ」という、γ乗の項をもつ関数曲線に近似できることが知られている。このγ値は、Ｗｉｎｄｏｗｓ（登録商標）では、「ＩＥＣ６１９６６−２−１：Ｃｏｌｏｕｒ Ｍｅａｓｕｒｅｍｅｎｔ  ａｎｄ  Ｍａｎａｇｅｍｅｎｔ  ｉｎ  Ｍｕｌｔｉｍｅｄｉａ  Ｓｙｓｔｅｍｓ  ａｎｄ  Ｅｑｕｉｐｍｅｎｔ−Ｐａｒｔ２−１:Ｄｅｆａｕｌｔ  ＲＧＢ  Ｃｏｌｏｕｒ  Ｓｐａｃｅ−ｓＲＧＢ」規格に合せて、２．２にすることが推奨されている。また、Ｍａｃｉｎｔｏｓｈ（登録商標）では、印刷用データをモニタに表示する用途が多いため、印刷の階調再現特性に近い、１．８にすることが推奨されている。図に一点鎖線で示すグラフＡは、γ＝２．２の場合の階調再現特性を示しているが、実際には、図に実線で示すグラフＢ，Ｃのように、個々のモニタごとに固有のカーブを描くことになる。したがって、パーソナルコンピュータ側からモニタ側に、階調値１８６を示すデータを与えた場合、グラフＡに示すような理想的な特性をもつモニタでは、点Ｑ１の縦座標値である５０％の輝度が得られるが、グラフＢ，Ｃに示すような特性をもつモニタでは、それぞれ点Ｑ２，Ｑ３の縦座標値に対応する輝度が得られてしまう。逆に言えば、グラフＢに示す特性をもつモニタに、階調値１８６に相当する本来の輝度５０％の表示を行わせるためには、階調値１８６を点Ｑ４の横座標値に相当する階調値１５０に補正する処理を行う必要が生じ、グラフＣに示す特性をもつモニタに、階調値１８６に相当する本来の輝度５０％の表示を行わせるためには、階調値１８６を点Ｑ５の横座標値に相当する階調値２００に補正する処理を行う必要が生じる。
【００７１】
このような補正は、一般にガンマ補正と呼ばれている。結局、モニタをパーソナルコンピュータなどに接続して利用する際には、予め、このモニタに固有の階調再現特性を示すグラフを、モニタプロファイルデータとして求めておき、このデータを利用したガンマ補正を行う必要がある。
【００７２】
既に述べたとおり、個々のモニタについての階調再現特性を測定する手法としては、光学的な測定装置を用いる手法もあるが、通常は、人間の目による目視を行いながら特性データを得る手法が採られる。図１０は、目視により階調再現特性を測定する代表的な方法の基本原理を示す平面図である。この方法では、まず、測定対象となるモニタの画面上に、図１０（ａ）に示すようなテストパターンを表示させる。このテストパターンは、第１属性の領域１０と第２属性の領域２０とによって構成されている。図示の例では、第１属性の領域１０は正方形状の領域であり、第２属性の領域２０はこれを取り囲むような枠状の領域である。第１属性の領域１０内には、一様な均一パターンを表示させるようにし、第２属性の領域２０内には、所定の参照輝度をもった参照パターンを表示させるようにする。
【００７３】
既に述べたとおり、図９のグラフの両端は、ガンマ特性を示す曲線がどのようなものであろうとも、点Ｏ，Ｐと定まっている。すなわち、最小階調値０を示すデータが与えられた領域は、常に最低輝度０％（真っ黒）で表示され、最大階調値２５５を示すデータが与えられた領域は、常に最高輝度１００％（真っ白）で表示される。第２属性の領域２０には、この性質を利用して、基準となる参照輝度をもった参照パターンを表示させるようにする。
【００７４】
図１０（ｂ）は、第２属性の領域２０の部分拡大図である。図示のとおり、第２属性の領域２０は、最小階調値０をもつ帯状の第１副領域２１と、最大階調値２５５をもつ帯状の第２副領域２２と、を交互に配置することにより構成される。いわば、白黒のストライプ模様が形成されている。ここで、第１副領域２１と第２副領域２２との面積比を１：１に設定すれば（別言すれば、白黒のストライプの幅がすべて等しくなるように設定すれば）、個々の副領域２１，２２は最低輝度０％もしくは最高輝度１００％で表示されているものの、ある程度の距離だけ離れて目視観察すれば、疑似的に５０％の輝度で表示されている領域として認識されることになる。もちろん、そのためには、白黒のストライプの幅寸法を、ある程度小さく設定し、ストライプパターン自身の肉眼観察が困難になるようにしておく必要がある。
【００７５】
結局、図１０（ａ）に示すテストパターンにおいて、周囲の枠領域を形成している第２属性の領域２０は、疑似的に５０％の輝度を示す参照パターンとして機能する。一方、第１属性の領域１０には、一様な均一パターンが表示される（別言すれば、全画素が同一の階調値をもつ）が、その明るさ（階調値）は、オペレータの入力操作によって可変となるようにしておく。そして、オペレータに、このテストパターンを目視させながら、第１属性の領域１０の明るさが、第２属性の領域２０の明るさと同一になるように、第１属性の領域１０内の画素についての階調値を調整する操作を行わせる。
【００７６】
ここで、たとえば、第１属性の領域１０内の画素の階調値を８５に設定したときに、領域１０，２０の明るさが同一になったとすれば、このモニタの場合、参照輝度５０％に対応する階調値が８５であることが認識できる。そこで、図１１のグラフに示すように、参照輝度５０％と対応階調値８５とを両座標値にもつ点Ｑをプロットし、点Ｏ，Ｑ，Ｐの３点を滑らかに結ぶ曲線を求めれば、この曲線が、求めるべき階調再現特性（ガンマ特性）ということになる。前述したとおり、一般的なＣＲＴモニタの階調再現特性は、「輝度＝階調値γ」という関数曲線に近似できるので、３点が決まれば、図１１のような曲線を一義的に決定することが可能である。結局、図１１に示すような特性をもったモニタに、輝度５０％に相当する表示を行わせる場合には、階調値８５を示すデータを与えればよいことになる。
【００７７】
＜＜＜  §２．本発明に係る基本的な階調再現特性の測定方法  ＞＞＞
上述した従来の階調再現特性の測定方法によれば、オペレータの目視に基づく測定が可能になり、人間の目の感度特性に合致した測定結果が得られるメリットがある。しかしながら、印刷物を作成するＤＴＰ処理に利用されるカラーモニタなどでは、より精度の高い階調再現特性の測定が求められており、従来の測定方法では必ずしも十分な測定結果を得ることができない。本願発明者が行った実験によると、特に、液晶カラーモニタや、経年変化が生じたＣＲＴカラーモニタに対して、十分な精度をもった測定が困難であることが確認できた。その主たる理由は、カラーモニタの場合、階調再現特性が色ごとに異なっているためであると考えられる。
【００７８】
一般に、カラーモニタでは、三原色ＲＧＢを用いたカラー画像表示が行われるため、三原色ＲＧＢのそれぞれについて別個の階調値を指定する必要がある。しかしながら、従来の階調再現特性の測定手法には、色ごとに別個の特性を測定するという考え方はなく、三原色すべてを一括した取り扱いしか行われていない。たとえば、図１０（ａ）に示すようなテストパターンを用いた測定では、三原色ＲＧＢの階調値を常に共通にするという前提で、第１属性の領域１０内の明るさ調整が行われる。このため、従来の方法で得られた階調再現特性は、三原色ＲＧＢに共通の特性となり、図１１に示すような階調再現特性が得られた場合、この同じ特性を用いて、三原色ＲＧＢのすべてに対するガンマ補正が行われることになる。
【００７９】
従来から、このような取り扱いがなされてきたのは、一般的なカラーモニタの場合、三原色ＲＧＢの階調再現特性がほぼ同一であると考えられてきたためである。確かに、ＣＲＴカラーモニタの場合、製品出荷時には、原色ＲＧＢの階調再現特性がほぼ同一となるような調整がなされている。しかしながら、経年変化により、蛍光体に劣化が生じるため、各原色ごとの階調再現特性にばらつきが生じてくる。また、一般的な液晶カラーモニタの場合、製品出荷時において、既に、各原色ごとの階調再現特性が異なっている。
【００８０】
本願発明者は、多数のメーカー製の多種類のＣＲＴカラーモニタおよび液晶モニタについて、光学的な測定装置を用いて、実際に各原色ごとの階調再現特性を測定した結果、中古のＣＲＴカラーモニタの多くについて、そして液晶モニタについては新品、中古にかかわらず、ある共通した傾向が見られることを発見した。それは、三原色ＲＧＢのうち、原色Ｒ（赤）および原色Ｇ（緑）については、ほぼ同一の階調再現特性が得られるのに対し、原色Ｂ（青）については、異なる階調再現特性が得られる、という傾向である。より具体的に説明すれば、多くの液晶カラーモニタについては、図１２に示すような傾向をもった階調再現特性が得られた。図示の例において、グラフＣｒ，Ｃｇ，Ｃｂは、それぞれ原色Ｒ，Ｇ，Ｂについて測定された階調再現特性である。グラフＣｒ，Ｃｇは、同一のカーブを描いているが、グラフＣｂは、やや上方に外れたカーブを描いている。一方、中古のＣＲＴカラーモニタについては、逆に、グラフＣｂだけがやや下方に外れたカーブを描く。
【００８１】
このように共通した傾向が現れた理由については、現在のところ、理論的な解析はなされていないが、いずれのメーカーのいずれの機種についても、ほぼ同様の傾向が見られた点を考慮すると、三原色ＲＧＢを用いたカラーモニタについては、ほぼ共通して見られる普遍的な傾向であると考えられる。本願発明者は、液晶カラーモニタについては、液晶素材の性質や偏光板の光学特性により、このような傾向が現われると考えており、また、中古のＣＲＴカラーモニタについては、青の蛍光体の劣化が赤や緑の蛍光体の劣化より激しいためと考えている。結局、この図１２に示すように、色ごとに異なる階調再現特性をもったカラーモニタに、輝度５０％のグレー表示を行わせるためには、原色Ｒ、Ｇについては、点Ｑｒ、Ｑｇの横座標値である８５を階調値として与え、原色Ｂについては、点Ｑｂの横座標値である４６を階調値として与える必要がある。
【００８２】
本発明の階調再現特性測定方法の基本思想は、上述のような事実を踏まえ、三原色ＲＧＢの各原色ごとの階調再現特性をすべて別個独立して求めることにより、あるいは、少なくとも原色Ｒ，Ｇについての階調再現特性と原色Ｂについての階調再現特性とを別個独立して求めることにより、高精度の階調再現特性の測定を可能にする、という点にある。
【００８３】
本発明に係るカラーモニタの階調再現特性測定方法は、三原色ＲＧＢを用いてカラー画像を表示する機能をもったカラーモニタにおける入力信号階調値と実際の表示輝度との関係を示す階調再現特性を目視により測定するための装置であり、その基本原理は、§１で述べた従来の測定手法と同様に、図１０（ａ）に示すようなテストパターンを用いるものである。ただ、本発明では、色ごとに異なる階調再現特性を求めるために、次のような工夫を施している。
【００８４】
すなわち、第１属性の領域１０については、常に明るさおよび色が一様な均一パターンが表示されるようにするが、この均一パターンの明るさおよび色は、オペレータの操作に基づいて、あるいは、所定の規則に基づいて自動的に変動するようにする。明るさだけでなく、色についても変動させる点が、従来の方法にはない新たな手法である。そして、オペレータには、第１属性の領域１０と第２属性の領域２０とを目視により比較させ、両領域の明るさおよび色がともに一致したとの認識が得られるまで、第１属性の領域１０についての明るさおよび色の変動を継続させる。
【００８５】
この明るさの変動と色の変動とは、原理的には同時に行うことも可能であるが、実用上は、明るさ変動操作と色変動操作とを別個独立して行うようにし、オペレータには、明るさ変動操作中に明るさの一致についての認識を行わせ、色変動操作中に色の一致についての認識を行わせるのが好ましい。
【００８６】
明るさ変動操作は、三原色ＲＧＢの各階調値のすべてについて、共通の変動量を増減する作業によって行うことができる。たとえば、Ｒ＝１２０、Ｇ＝１２０、Ｂ＝１２０なる階調値により、第１属性の領域１０に所定の均一パターンが表示されている状態において、共通の変動量Ｓ＝５を増加させる作業を行えば、階調値はＲ＝１２５、Ｇ＝１２５、Ｂ＝１２５となり、第１属性の領域１０に表示されている均一パターンの輝度は若干上昇する。逆に、共通の変動量Ｓ＝５を減少させる作業を行えば、階調値はＲ＝１１５、Ｇ＝１１５、Ｂ＝１１５となり、第１属性の領域１０に表示されている均一パターンの輝度は若干下降する。このような明るさ変動操作は、目視による色の変動はほとんど生じることがなく（もちろん、厳密には、色の変動が認識される可能性はあるが）、主として均一パターンの明るさを変える操作ということができる。
【００８７】
一方、色変動操作は、三原色ＲＧＢのうちのいずれか１つの特定色についての階調値を増減する作業によって行うことができる。たとえば、Ｒ＝１２０、Ｇ＝１２０、Ｂ＝１２０なる階調値により、第１属性の領域１０に所定の均一パターンが表示されている状態において、特定色Ｒについての階調値を、変動量Ｓ＝５だけ増加させる作業を行えば、階調値はＲ＝１２５、Ｇ＝１２０、Ｂ＝１２０となり、第１属性の領域１０に表示されている均一パターンの赤味を若干強くすることができる。逆に、変動量Ｓ＝５だけ減少させる作業を行えば、階調値はＲ＝１１５、Ｇ＝１２０、Ｂ＝１２０となり、第１属性の領域１０に表示されている均一パターンの赤味を若干弱めることができる。このような色変動操作では、目視による明るさの変動は少なく、主として均一パターンの色を変える操作ということができる。
【００８８】
オペレータの操作入力に基づいて、階調値を変動させるには、たとえば、図１３に示すような操作パネルを画面上に表示させ、オペレータのマウス操作などにより、各原色の階調値を調節させるようにすればよい。この操作パネルでは、明るさ変動操作と色変動操作とを別個独立して行うことができる。すなわち、この操作パネルを構成する４本の水平バーは、いずれも０〜２５５の範囲内の所定の階調値を示すバーになっており、ハッチングを施したバーの右端の位置が所定の階調値を示している。そして、各バーの右端の位置は、マウスカーソルＭによりクリックした位置に即座に修正されるようになっており、オペレータは、４本のバーの右端位置を任意の位置に設定することができる。
【００８９】
図に「ＲＧＢ」と記された各バーは、それぞれ原色ＲＧＢの階調値を設定するためのバーである。これに対して、「明るさ」と記されたバーは、常に、その時点における原色ＲＧＢの階調値の平均を示すバーになっている。したがって、「ＲＧＢ」と記されたいずれかのバーについて階調値の修正（右端位置の修正）を行うと、「明るさ」と記されたバーについての階調値も即座に連動して修正される。逆に、「明るさ」と記されたバーについての階調値の修正を行うと、「ＲＧＢ」と記された各バーについて階調値がそれに応じた分だけ即座に連動して修正される（たとえば、各バーの階調値に応じた按分比で、「明るさ」バーに対する変動分を調整すればよい）。
【００９０】
このような操作パネルを用いれば、オペレータは、明るさ変動操作を行う場合には、「明るさ」と記されたバーについての階調値の修正操作を行えばよいし、色変動操作を行う場合には、「ＲＧＢ」と記されたいずれかのバーについて階調値の修正操作を行えばよい。たとえば、より明るくする変動操作を行うのであれば、「明るさ」と記されたバーの右端よりも更に右側位置をマウスクリックすればよいし、赤味を若干弱める変動操作を行うのであれば、「Ｒ」と記されたバーの右端よりも若干左の位置をマウスクリックすればよい。
【００９１】
この図１３に示す操作パネルを、図１０（ａ）に示すテストパターンの近傍に表示させておき、オペレータに、明るさ変動操作および色変動操作を行わせながら、第１属性の領域１０および第２属性の領域２０の明るさと色が一致するような調整を行わせれば、三原色ＲＧＢの各原色ごとの階調再現特性を別個独立して求めることができる。たとえば、第２属性の領域２０内に５０％の輝度に相当する参照パターンを表示させた状態において、オペレータが、明るさと色の双方が一致したと認識した場合を考えよう。このように、明るさと色の双方が一致したとの認識が得られたときには、オペレータに、一致ボタン３０をクリックしてもらうようにする。この時点において、図１３に示す操作パネルにおける「ＲＧＢ」と記された各バーが示す階調値が、それぞれＲ＝８５、Ｇ＝８５、Ｂ＝４６であったとすると、結局、図１２に示すように、各原色ごとの階調再現特性を示すグラフＣｒ、Ｃｇ、Ｃｂが得られることになる。
【００９２】
もっとも、図１３に示す操作パネルを用いた階調値の変動操作は、実用上、熟練したオペレータでなければ、実施が困難である。これは、一般的なオペレータの場合、「第１属性の領域１０と第２属性の領域２０とでは、色合いが若干異なっている」という認識はできるものの、「三原色のうちのどの色成分を増減したら、同じ色が得られるのか」という判断ができないためである。このように、図１３に示す操作パネルを用いた測定を行った場合、三原色ＲＧＢのすべてについて、それぞれ別個独立した階調再現特性を求めることができるものの、実用上は、オペレータに測定操作上の負担を課すことになる。その根本原因は、明るさ、原色Ｒ、原色Ｇ、原色Ｂという４つのパラメータが調整対象となっているためである。
【００９３】
そこで本願発明者は、図１４に示すような実用的な操作パネルを案出した。この操作パネルには、４つの調整ボタン３１〜３４と一致ボタン３０が設けられている。４つの調整ボタン３１〜３４の配置は、各ボタンを配置する平面上に図示のようなＸＹ二次元座標系（実際の操作パネルには、このような座標系は表示されない）を定義したときに、第１ボタン３１および第２ボタン３２がＸ軸上の原点を挟んだ対向位置に配置し、第３ボタン３３および第４ボタン３４がＹ軸上の原点を挟んだ対向位置に配置されていることになる。４つの調整ボタン３１〜３４の形状は、この例では三角形になっているが、必ずしも三角形にする必要はない。
【００９４】
ここで、第１ボタン３１は、第１属性の領域１０内に表示される均一パターンを明るくする指示を与えるボタンであり、第２ボタン３２は、均一パターンを暗くする指示を与えるボタンであり、第３ボタン３３は、均一パターンの特定色の成分を強める指示を与えるボタンであり、第４ボタン３４は、均一パターンの特定色の成分を弱める指示を与えるボタンである。この例では、特定色として、原色Ｂが設定されている。
【００９５】
各ボタンの操作と、各原色の階調値の変動操作との関係は、次のようになる。まず、第１ボタンに対する操作入力（たとえば、マウスクリック）があった場合には、三原色ＲＧＢの各階調値のすべてについて、共通の変動量を加える変動操作が行われ、第２ボタンに対する操作入力があった場合には、三原色ＲＧＢの各階調値のすべてについて、共通の変動量を減じる変動操作が行われる。また、第３ボタンに対する操作入力があった場合には、特定色（この例では原色Ｂ）の階調値について、所定の変動量を加える変動操作が行われ、第４ボタンに対する操作入力があった場合には、特定色の階調値について、所定の変動量を減じる変動操作が行われる。
【００９６】
たとえば、変動量Ｓ＝５に設定されていたとすると、第１ボタン３１をクリックするたびに、三原色ＲＧＢの全階調値が５だけ増加する修正が行われ、第２ボタン３２をクリックするたびに、三原色ＲＧＢの全階調値が５だけ減少する修正が行われる。同様に、第３ボタン３３をクリックするたびに、特定色である原色Ｂの階調値だけが５だけ増加する修正が行われ、第４ボタン３４をクリックするたびに、原色Ｂの階調値だけが５だけ減少する修正が行われる。もちろん、各階調値の許容範囲は０〜２５５となっているので、最小階調値０および最大階調値２５５を越えるような修正はできない。
【００９７】
結局、この図１４に示す操作パネルでの調整対象は、明るさと原色Ｂという２つのパラメータだけになる。しかも、明るさのパラメータ調整はＸ軸方向に関する操作、原色Ｂのパラメータ調整はＹ軸方向に関する操作、というように、直感的に把握可能な操作体系となっているため、図１３に示す操作パネルに比べると、操作性は極めて向上している。第１ボタン３１および第２ボタン３２は、主として均一パターンの明るさが変わるように階調値を変動させる明るさ変動操作を行うためのボタンであり、第３ボタン３３および第４ボタン３４は、主として均一パターンの色が変わるように階調値を変動させる色変動操作を行うボタンということになる。
【００９８】
また、各ボタン３１〜３４の脇には、明暗青黄なる文字が示されており、オペレータに直感的な指針を示している。すなわち、オペレータは、より明るく修正したい場合には第１ボタン３１をクリックし、より暗く修正したい場合には第２ボタン３２をクリックし、より青っぽくしたい場合（青成分を増加させたい場合）には第３ボタン３３をクリックし、より黄色っぽくしたい場合（青成分を減少させたい場合）には第４ボタン３４をクリックすればよい。そして、最終的に、明るさと色との双方が一致したと認識できたときには、一致ボタン３０をクリックすればよい。
【００９９】
この図１４に示す操作パネルでは、三原色ＲＧＢの階調値をそれぞれ独立して設定することはできず、原色Ｒと原色Ｇの階調値は常に同一になる。したがって、三原色ＲＧＢの各原色ごとの階調再現特性のすべてを別個独立して求めることはできない。しかしながら、特定色として設定された原色Ｂの階調値を、他の原色Ｒ、Ｇの階調値と異ならせるような設定を行うことはできるので、原色Ｒ、Ｇについての階調再現特性と原色Ｂについての階調再現特性とを別個独立して求めることは可能である。
【０１００】
既に図１２のグラフに基づいて説明したとおり、多くのカラーモニタでは、三原色ＲＧＢのうち、原色Ｒおよび原色Ｇについては、ほぼ同一の階調再現特性が得られるのに対し、原色Ｂについては、異なる階調再現特性が得られる、という傾向がある。したがって、このような傾向をもったカラーモニタについての特性を測定することを前提とすれば、図１４に示す操作パネルにより階調値の変動操作を行えば、実用上、支障は生じない。要するに、この図１４に示す操作パネルでは、三原色ＲＧＢのうちの原色Ｂを特定色とし、原色Ｂの階調再現特性を示すグラフと、原色ＲおよびＧに共通した階調再現特性を示すグラフと、を別個に求めることができる。
【０１０１】
なお、ボタンをクリックすることにより階調値を増減させる変動量Ｓは、任意に切り替え可能としておいてもよい。たとえば、変動量Ｓ＝５という粗調整の設定と、変動量Ｓ＝１という微調整の設定とを設けておき、最初の段階では、粗調整の設定で大まかな階調値の変動操作を行い、明るさと色とがある程度近似したと認識された時点で、微調整の設定に切り替え、細かな変動量を用いて細かな階調値の変動操作を続行する、という手法を採ることもできる。
【０１０２】
あるいは、各ボタンのクリック箇所により、変動量を変えるような構成にしておくことも可能である。たとえば、各ボタン３１〜３４を構成する三角形の先端部分（ＸＹ座標系の原点から離れた部分）をクリックすると、大きな変動量（たとえば、変動量Ｓ＝５）による階調値の変動操作が行われ、三角形の底辺部分（ＸＹ座標系の原点に近い部分）をクリックすると、小さな変動量（たとえば、変動量Ｓ＝１）による階調値の変動操作が行われるようにしておけば、オペレータは、適宜、必要な変動量に応じたクリック操作を行うことにより、効率的な測定作業を行うことができるようになる。
【０１０３】
＜＜＜  §３．階調値を自動的に変動させる方法  ＞＞＞
上述した§２では、図１３あるいは図１４に示すような操作パネルを利用して、オペレータに明るさや色を変動させるための操作入力を行わせ、階調値の変動操作を行う例を示した。特に、図１４に示す操作パネルを用いれば、明るいか暗いか、青っぽいか黄色っぽいか、という２つのパラメータに応じた調整操作を行えばよいので、図１３に示す操作パネルを用いた場合に比べて、オペレータの作業負担は大幅に軽減される。しかしながら、いずれの操作パネルを用いたとしても、オペレータ自身が、明るさや色が一致する方向に操作入力を行わねばならない点では変わりはない。
【０１０４】
ここでは、このような操作入力の負担を更に軽減させる方法を述べる。この方法の主眼は、予め定められた所定の規則にしたがって、第１属性の領域１０内に表示される均一パターンの階調値を時間とともに自動的に変動させるようにし、オペレータに、均一パターンの明るさや色が参照パターンと一致したと認識できた時点で、一致ボタンなどをクリックして報知してもらうことにある。ここで、階調値を時間とともに自動的に変動させるための規則としては、明るさと色が必要な範囲内で変動するような規則であれば、どのような規則であってもかまわないが、実用上は、明るさを変動させる操作と、色を変動させる操作と、の２通りの変動操作を分けて実行するような規則にするのが好ましい。
【０１０５】
具体的には、三原色ＲＧＢの各階調値のすべてについて、所定のタイミング共通の変動量を加えるもしくは減じることにより、主として均一パターンの明るさが変わるように階調値を変動させる明るさ変動操作と、三原色ＲＧＢのうちのいずれか１つの特定色（実用上は、前述したとおり、原色Ｂを特定色にするのが好ましい）の階調値について、所定のタイミングで所定の変動量を加えるもしくは減じることにより、主として均一パターンの色が変わるように階調値を変動させる色変動操作と、の２通りの変動操作を行うようにすればよい。
【０１０６】
上述の明るさ変動操作は、図１４に示す操作パネルにおける第１ボタン３１もしくは第２ボタン３２を所定のタイミングで自動的にクリックする処理に相当する。たとえば、共通の変動量Ｓ＝＋５（＋は階調値を増加させることを示す）を設定し、所定のタイミングとして１秒ごとの繰り返し周期を設定しておけば、三原色ＲＧＢの各階調値のすべてが１秒ごとに５ずつ自動的に増加することになる。あるいは、共通の変動量Ｓ＝−６（−は階調値を減少させることを示す）を設定し、所定のタイミングとして２秒ごとの繰り返し周期を設定しておけば、三原色ＲＧＢの各階調値のすべてが２秒ごとに６ずつ自動的に減少することになる。
【０１０７】
なお、各階調値は、０〜２５５の許容範囲しかとり得ないので、変動量を加算する変動操作により得られる階調値が最大階調値２５５を上回ってしまう場合には、超過分を最小階調値０から計数する循環処理を行い、変動量を減算する変動操作により得られる階調値が最小階調値０を下回ってしまう場合には、超過分を最大階調値２５５から計数する循環処理を行うようにする。たとえば、階調値２５３に変動量５を加算すると、階調値は２５８になってしまうが、その場合は、そこから２５６を減じることにより得られる階調値２を代わりに用いるようにする。要するに、階調値を２５５→０というように循環させて、超過分の３段階分の階調値を、最小階調値０から０，１，２と計数することになる。同様に、階調値２から変動量６を減算するような場合、減算結果は−４になってしまうが、２５６を加えることにより得られる階調値２５２を代わりに用いるようにする。要するに、階調値を０→２５５というように循環させて、超過分の４段階分の階調値を、最大階調値２５５から２５５，２５４，２５３，２５２と計数することになる。
【０１０８】
このような明るさ変動操作における各原色の階調初期値は、任意に設定しておいてかまわないが、実用上は、三原色の階調初期値を所定の共通値にしておけばよい。たとえば、Ｒ＝０，Ｇ＝０，Ｂ＝０を初期値として設定し、共通の変動量Ｓ＝＋５により変動させれば、各原色の階調値は、０→５→１０→１５→  ……  →２５０→２５５→４→９→１４→  …  というように自動的に変化してゆくことになる。このような変動操作を自動的に行わせると、オペレータから見ると、第１属性の領域１０内の均一パターンが、真っ黒→暗いグレー→中間グレー→明るいグレー→白→真っ黒→  …というように時々刻々と変化してゆく様子が観察されることになる。第２属性の領域２０内には、輝度５０％の参照パターンが表示されているので、オペレータは、均一パターンが中間グレーになったあたりで、参照パターンの明るさに一致したとの認識を得ることになる。オペレータには、この明るさが一致したとの認識が得られた時点で、明るさ一致を示す入力（たとえば、明るさ一致ボタンのクリック）を行ってもらう。
【０１０９】
もちろん、人間の行う操作であるから、一致認識の判断が遅れて、一致入力操作を行うべきタイミングを逸してしまうこともあろう。その場合、均一パターンは、中間グレーを通り過ぎ、明るいグレーへと変遷していってしまうことになるが、しばらく待てば、再び、真っ黒の状態に循環してくることになり、中間グレーに対して一致入力操作を行うチャンスが再び巡ってくる。このように、階調値を繰り返し循環させて変動する方法を採れば、オペレータに何度も一致入力操作を行うチャンスを与えることができるようになるので、より正確な一致入力が期待できる。実際、何回か循環させれば、オペレータは、階調変化の周期が感覚的につかめるようになり、最終的には、正確な一致入力操作が可能になる。
【０１１０】
なお、変動量Ｓをある程度大きく設定すると、オペレータの目から見て、完全に一致したとの認識が得られない場合もあろう。その場合には、最も近くなったときに一致認識を示す入力を行わせるようにすればよい。これは、明るさの一致認識だけではなく、後述する色の一致認識についても同様である。要するに、本発明において、オペレータによる「一致認識」とは、必ずしも完全に一致したとの認識を意味するものではなく、所定条件下で、明るさや色が最も近くなったと判断できる認識範囲までも含むものである。実際には第一属性の領域１０の輪郭が第２属性の領域２０内に埋もれて、あたかも溶け込んだように見えた場合に一致認識が行われることになる。
【０１１１】
以上、明るさ変動操作について説明したが、色変動操作もほぼ同様である。色変動操作は、図１４に示す操作パネルにおける第３ボタン３３もしくは第４ボタン３４を所定のタイミングで自動的にクリックする処理に相当する。たとえば、共通の変動量Ｓ＝＋５を設定し、所定のタイミングとして１秒ごとの繰り返し周期を設定しておけば、三原色ＲＧＢのうちの特定色の階調値のみが、１秒ごとに５ずつ自動的に増加することになる。原色Ｂを特定色とした場合、均一パターンの色合いは、徐々に青味が増してゆくことになる。もちろん、この色変動操作においても、階調値が０〜２５５の許容範囲内となるような循環処理を行うので、青味が最大に達した直後には、黄色味が最大（青味が最小）の状態に遷移する。原色Ｒ，Ｇの階調値は一定に維持されたままである。
【０１１２】
このように、自動的に色変動操作を行うと、オペレータから見ると、第１属性の領域１０内の均一パターンが、黄色味の強い色から徐々に黄色味が薄まってゆき、やがて無彩色に近い色になった後、青味が徐々に強まってゆき、青味が最大に達した後、再び黄色味の強い色へ戻る、という循環する様子が観察されることになる。第２属性の領域２０内には、輝度５０％の無彩色の参照パターンが表示されているので、オペレータは、均一パターンのごく淡い色味が黄味から青味に転じるあたりで、参照パターンの色に一致したとの認識を得ることになる。オペレータには、色が一致したとの認識が得られた時点で、色一致を示す入力（たとえば、色一致ボタンのクリック）を行ってもらう。
【０１１３】
この色一致の判断も、オペレータにとっては非常に微妙な感覚的な判断になるので、一致入力操作を行うべきタイミングを逸してしまうこともあろう。しかし、明るさの変遷と同様に、色の変遷も循環して繰り返し行われるので、一致入力操作を行うチャンスは何度も巡ってくることになり、最終的には、正確な一致入力操作が可能になる。
【０１１４】
図１５は、上述した原理に基づいて、明るさ変動操作と色変動操作とを所定の規則に基づいて自動的に実行しながら、オペレータに明るさ一致の入力操作と色一致の入力操作とを行わせるために用いる操作パネルの一例を示す図である。図示のとおり、オペレータが操作するボタンは、スタートボタン４０、明るさ一致ボタン４１、色一致ボタン４２の３種類であり、各ボタンの脇には、それぞれ操作のための説明文が付されている。この図１５に示すような操作パネルを、図１０（ａ）に示すテストパターンの近傍に表示させ、オペレータに、マウスなどを用いて各ボタンをクリックしてもらえば、一連の測定作業が完了することになる。
【０１１５】
まず、オペレータは、ステップ０と書かれた説明文に従って、スタートボタン４０をクリックする。これにより、上述した自動的な明るさ変動操作が実行され、第１属性の領域１０内の均一パターンの明るさが時々刻々と変動し始める。そこで、オペレータは、ステップ１と書かれた説明文に従って、均一パターンの明るさが参照パターンの明るさと同じになったと感じた時点で、明るさ一致ボタン４１をクリックする。これにより、今度は、上述した自動的な色変動操作が実行され、均一パターンの色（原色Ｂに関わる色）が時々刻々と変動し始める。そこで、オペレータは、ステップ２と書かれた説明文に従って、均一パターンの色が参照パターンの色と同じになったと感じた時点で、色一致ボタン４２をクリックする。
【０１１６】
以上で、一連の測定作業は完了である。色一致ボタン４２がクリックされた時点における三原色ＲＧＢの各階調値（この例の場合、ＲとＧは同じ値になる）を、それぞれ参照輝度５０％に対応する各原色ごとの対応階調値として、図１１の点Ｑに相当する点をプロットし、各原色ごとの階調再現特性のグラフ（ＲとＧは同じグラフになる）を求めればよい。
【０１１７】
結局、図１５に示す明るさ一致ボタン４１は、明るさ変動操作を行っている状態において、オペレータから明るさが一致したとの認識を示す明るさ一致信号を入力するための明るさ一致信号入力手段として機能することになり、色一致ボタン４２は、色変動操作を行っている状態において、オペレータから色が一致したとの認識を示す色一致信号を入力するための色一致信号入力手段として機能することになる。そして、明るさ一致信号と色一致信号との双方の入力が完了した場合に、明るさおよび色がともに一致したとの認識を示す一致信号が入力されたものとして取り扱い、各原色ごとの階調再現特性が求められることになる。上述の例では、三原色ＲＧＢのうちの原色Ｂを特定色とし、原色Ｂの階調再現特性を示すグラフと、原色ＲおよびＧに共通した階調再現特性を示すグラフと、がそれぞれ別個に求められる。
【０１１８】
なお、図１５に示す操作パネルを用いた例では、明るさ一致信号の入力操作と色一致信号の入力操作とをそれぞれ１回ずつ行うことにより、測定作業を完了させているが、実用上は、これらの操作を交互に繰り返し実行するような形態を採るのが好ましい。その第１の理由は、この一致認識操作が、人間の目視による感覚的な操作であるため、必ずしも１回の入力操作で正確な認識を行うことができないためである。そして第２の理由は、明るさ変動操作は必ずしも明るさのみを変動させる操作にはならず、色変動操作は必ずしも色のみを変動させる操作にはならないためである。たとえば、図１５の操作パネルにおいて、明るさ一致ボタン４１がクリックされた時点で、明るさが正確に一致していたとしても、続いて実行される色変動操作により、色だけではなく明るさにも変動が生じてしまうことになるので、明るさの一致状態は失われてしまうことになる。このような弊害を避ける上では、明るさを一致させる操作と色を一致させる操作を交互に繰り返し実行するのが効果的であり、特に、階調値の変動量を徐々に減少させながら繰り返し実行するのが効果的である。
【０１１９】
具体的には、図１６に示す処理を行えばよい。まず、ステップＳ１において、三原色Ｒ，Ｇ，Ｂの各階調値の初期値および変動量Ｓの初期値を設定する。図示の例では、それぞれをＲ０，Ｇ０，Ｂ０，Ｓ０に設定している。
【０１２０】
続いて、ステップＳ２、Ｓ３において、明るさを一致させる操作が実行される。すなわち、まず、ステップＳ２において、三原色Ｒ，Ｇ，Ｂの各階調値に、変動量Ｓを加える処理が行われる。ただし、前述した循環処理を行うため、階調値が２５５を越える値になったら、２５６を減じることにする。そして、ステップＳ３で、明るさ一致ボタンが押されたか否かを判定し、押されていなければ、再びステップＳ２へ戻り、階調値の更新を行う。こうして、明るさ一致ボタンが押されるまで、ステップＳ２，Ｓ３の処理が繰り返される。もっとも、この繰り返し処理の周期は、たとえば、１秒おきのように、オペレータが一致認識の判断を行うのに十分な時間が設定される。
【０１２１】
ステップＳ３において、明るさ一致ボタンが押されたことが検出されたら、続いて、ステップＳ４、Ｓ５において、色を一致させる操作が実行される。すなわち、まず、ステップＳ４において、特定色Ｂの階調値に対してのみ、変動量Ｓを加える処理が行われる。ここでも循環処理を行うため、階調値が２５５を越える値になったら、２５６を減じることにする。そして、ステップＳ５で、色一致ボタン（明るさ一致ボタンと兼用してもかまわない）が押されたか否かを判定し、押されていなければ、再びステップＳ４へ戻り、特定色Ｂについての階調値の更新を行う。こうして、色一致ボタンが押されるまで、ステップＳ４，Ｓ５の処理が繰り返される。この繰り返し処理の周期も、たとえば、１秒おきのように、オペレータが一致認識の判断を行うのに十分な時間が設定される。
【０１２２】
ステップＳ５において、色一致ボタンが押されたことが検出されたら、一応、オペレータから、明るさ一致信号および色一致信号の双方が入力されたことになるが、この時点では、まだ測定結果となる階調値の確定は行わず、ステップＳ６からステップＳ７を経て、再びステップＳ２からの手順が実行される。しかも、ステップＳ７では、変動量Ｓを減少させる更新処理を行うようにする。したがって、二巡目のステップＳ２，Ｓ４で加えられる変動量Ｓは、一巡目の値よりも小さくなっており、よりきめの細かな一致判定が可能になる。必要に応じて、変動量Ｓを更に小さくしながら、三巡目、四巡目と繰り返すようにする。
【０１２３】
たとえば、変動量Ｓの初期値Ｓ０を＋５に設定しておき、ステップＳ７では、これを２ずつ減少させる更新を行うようにし、ステップＳ６における変動量Ｓの既定値を１に設定した場合、一巡目は変動量Ｓ＝＋５、二巡目は変動量Ｓ＝＋３、三巡目は変動量Ｓ＝＋１となり、三巡したところで繰り返し処理は完了する。こうして、変動量Ｓが予め設定した所定の規定値に達した場合、ステップＳ６からステップＳ８へと進み、その時点の三原色Ｒ，Ｇ，Ｂの各階調値を出力するようにする。これらの階調値を、参照輝度５０％に対応する対応階調値として、各原色ごとの階調再現特性を求めることは、既に述べたとおりである。
【０１２４】
この図１６に示す手順において、一巡目の一致認識と、二巡目の一致認識とでは、認識条件に大きな違いがある。たとえば、一巡目のステップＳ３での一致認識は、一応、明るさがある程度の一致状態になったことを示しているが、その時点では、色の一致は全く考慮されていないことになる。ところが、二巡目のステップＳ３での一致認識は、既に、一巡目のステップＳ５において色の一致認識が完了しているという前提での明るさの一致認識になっているため、明るさと色との双方を一致させる、という本来の目的を踏まえると、より好ましい一致状態が得られていることになる。また、一巡するごとに、変動量Ｓを小さくして、きめの細かな一致認識が行われるようにしているので、三巡目のステップＳ３の一致認識では、二巡目のステップＳ３の一致認識よりも、更に好ましい一致状態が得られていることになる。
【０１２５】
結局、この図１６に示す手順は、明るさ変動操作を行っている状態（ステップＳ２）において明るさ一致信号が入力されたら（ステップＳ３）、色変動操作を開始し（ステップＳ４）、この色変動操作を行っている状態（ステップＳ４）において色一致信号が入力されたら（ステップＳ５）、明るさ変動操作（ステップＳ２）を開始し、明るさ変動操作と色変動操作とを交互に繰り返し実行してゆき、しかも、階調値の変動量Ｓを徐々に減少させる（ステップＳ７）処理と言うことができる。そして、変動量Ｓが所定の規定値に達した後に、明るさ一致信号と色一致信号との双方の入力が完了した場合に、明るさおよび色がともに一致したとの認識を示す一致信号が入力されたものとして取り扱うことになる。
【０１２６】
なお、変動量Ｓとしては、負の値を設定することも可能である。その場合、ステップＳ２，Ｓ４では、実質的に減算によって変動後の階調値が求められることになり、変動後の階調値が負の値になったら、２５６を加える処理を行うことになる。もちろん、ステップＳ７では、変動量Ｓの絶対値が徐々に減少するような更新が行われることになる。
【０１２７】
また、上述の実施形態では、階調値の繰り返し変動を、０〜２５５→０〜２５５→０〜２５５…という循環運動により行っているが、この階調値の繰り返し変動は、往復運動により行うようにしてもよい。この場合、最大階調値あるいは最小階調値を越えるような変動値が得られた時点で、折り返す処理を行い、変動量Ｓの符号を反転させればよい。具体的には、正の変動量＋Ｓにより徐々に階調値を増加させていった結果、最大階調値２５５を越えてしまった場合には、変動量の符号を反転させ、負の変動量−Ｓにより徐々に階調値を減少させてゆき、その結果、最小階調値０を越えてしまった場合には、変動量の符号を反転させ、再び正の変動量＋Ｓにより徐々に階調値を増加させてゆけばよい。結局、階調値を０〜２５５まで徐々に増加させてゆく処理と、２５５〜０まで徐々に減少させてゆく処理と、が交互に行われることになる。
【０１２８】
更に、上述の例では、階調値の繰り返し変動を循環運動により行うにせよ、往復運動により行うにせよ、階調値の許容範囲である０〜２５５の全範囲にわたって変動させているが、実用上は、必ずしもこの全範囲にわたって変動させる必要はない。たとえば、測定対象となるモニタの階調再現特性が、図１２に示すようなグラフを示していた場合、最終的には、Ｒ＝８５、Ｇ＝８５、Ｂ＝４６という階調値が、参照輝度５０％に対応する対応階調値として得られることになる。これらの値は、０〜２５５の範囲の中央値１２８に比べると、かなり０側に偏った値である。しかしながら、一般的なモニタにおいて、参照輝度５０％に対応する対応階調値として、１０とか２０という値や、２４０とか２５０という値が得られることは、実用上、考えにくい。したがって、実用上は、たとえば、３０〜２３０という限定された範囲内で、循環運動や往復運動させるようにしてもかまわない。
【０１２９】
また、図１６に示す手順のように、変動量Ｓを徐々に減少させながら、繰り返して処理を行う場合には、変動量Ｓを減少させるのと同時に、循環運動や往復運動を行う階調値の変動範囲を狭めてゆくと、より効率的な測定作業が可能になる。たとえば、変動量Ｓ＝＋５に設定した一巡目のステップＳ２，Ｓ４では、階調値の変動範囲を０〜２５５という全許容範囲に設定しておく。そして、変動量Ｓ＝＋３に設定した二巡目のステップＳ２，Ｓ４では、階調値の変動範囲を、たとえば、変動前の階調値を中心として±３０の範囲内、というように狭めておく。
【０１３０】
そうすれば、たとえば、一巡目が終了した時点で、Ｒ＝９０，Ｇ＝９０，Ｂ＝５０という結果が得られていたとすると、二巡目のステップＳ２では、Ｒ＝６０〜１２０，Ｇ＝６０〜１２０，Ｂ＝２０〜８０という限定された範囲内での変動が行われることになる。既に一巡目の処理で、明るさおよび色の一致が得られると期待される各原色の階調値についての大まかな値（この例の場合、Ｒ＝９０，Ｇ＝９０，Ｂ＝５０という値）が得られているので、二巡目では、この大まかな値を中心として±３０の範囲内で変動させれば十分と言える。可能性の全くない階調値まで変動させることは、非効率的である。同様に、三巡目では、たとえば、変動量Ｓ＝＋１とし、変動前の階調値を中心として±１０の範囲内に変動させる、というように設定すればよい。
【０１３１】
＜＜＜  §４．より多数の点をプロットする方法  ＞＞＞
図１１のグラフに示すような階調再現特性を求めるためには、グラフの両端点Ｏ、Ｐ以外の点Ｑをプロットし、３点Ｏ，Ｐ，Ｑを通る近似関数曲線を演算により求めればよいことは、既に§１で述べたとおりである。そして、点Ｑの位置を目視による測定で求めるために、図１０（ａ）に示すようなテストパターンを用い、第２属性の領域２０内に、図１０（ｂ）に示すような白黒のストライプ模様からなる参照輝度５０％に相当する参照パターンを表示させ、第１属性の領域１０内の均一パターンとの同一性を目視確認する方法をとることも、既に述べたとおりである。
【０１３２】
このように、階調再現特性（ガンマ特性）を、３点Ｏ，Ｐ，Ｑを通る近似関数曲線として求めることができるのは、一般的なＣＲＴモニタの階調再現特性が、「輝度＝階調値γ」というγ乗の項をもつ関数曲線になることが知られているためである。これはそもそも、ブラウン管に加えられた電圧Ｅと発光出力Ｌとの間に、「Ｌ＝Ｅγ」なる関係が得られるためである。したがって、ブラウン管を用いたモニタの場合には、参照輝度５０％に相当する参照パターンを用いて対応階調値を測定し、点Ｑをプロットすることができれば十分である。しかしながら、液晶モニタなどでは、階調再現特性は、必ずしもγ乗の項をもつ関数曲線になるとは限らない。
【０１３３】
階調再現特性のグラフが、γ乗の項をもつ関数曲線で近似できない場合、３点Ｏ，Ｐ，Ｑだけでは、正確な近似関数曲線を演算により求めることは困難である。そこで、ここでは、より多数の点をグラフ上にプロットすることにより、任意関数で表される階調再現特性を求める例を述べる。具体的には、図１７に示すように、グラフの両端点Ｏ，Ｐ以外に、３つの点Ｑ１，Ｑ２，Ｑ３をプロットし、５点Ｏ，Ｑ１，Ｑ２，Ｑ３，Ｐを通る近似関数曲線を演算により求める実施形態を説明することにする。
【０１３４】
まず、図１７に示す点Ｑ２については、これまで述べてきた方法により測定することが可能である。すなわち、図示の点Ｑ２は、参照輝度５０％に対する対応階調値が８５になるという測定結果によりプロットすることが可能である。このような測定は、図１０（ｂ）に示すように、疑似的に５０％の輝度を示す参照パターンを第２属性の領域２０内に表示させたテストパターンを用いて、第１属性の領域１０内に表示される均一パターンの明るさおよび色を一致させるための階調値変動処理によって行われる。
【０１３５】
一方、図１７に示す点Ｑ１，Ｑ３を求めるには、第２属性の領域２０内に表示される参照パターンの参照輝度を、それぞれ２５％，７５％に変え、全く同様の手順による測定処理を行えばよい。図１７に示す例は、参照輝度２５％に対する対応階調値が２６になるという測定結果により点Ｑ１がプロットされ、参照輝度７５％に対する対応階調値が１４８になるという測定結果により点Ｑ３がプロットされた例である。もちろん、実際には、参照輝度２５％，５０％，７５％に対応する対応階調値は、それぞれの原色ごとに求められ、各点Ｑ１，Ｑ２，Ｑ３のプロットも、各原色ごとに行われることになる。
【０１３６】
参照パターンの参照輝度は、第１副領域２１と第２副領域２２との面積比を調整することにより、任意に設定することができる。たとえば、図１０（ｂ）に示す参照パターンの場合、最小階調値０をもつ帯状の第１副領域２１と、最大階調値２５５をもつ帯状の第２副領域２２と、を交互に配置した白黒のストライプ模様から構成されており、第１副領域２１と第２副領域２２との面積比が１：１に設定されているため、参照輝度は５０％になっている。この面積比を３：１に設定すれば（たとえば、黒の帯の幅を白の帯の幅の３倍に設定すれば）、参照輝度が２５％の参照パターンが実現でき、この面積比を１：３に設定すれば（たとえば、黒の帯の幅を白の帯の幅の１／３倍に設定すれば）、参照輝度が７５％の参照パターンが実現できる。
【０１３７】
一般に、第１副領域２１と第２副領域２２との面積比を複数Ｎ通りに設定することにより、互いに異なる参照輝度をもったＮ通りの参照パターンを生成することが可能である。そして、このＮ通りの参照パターンを用いたＮ通りのテストパターンについて、前述したように、オペレータの目視による測定作業を行えば、各参照輝度に対応したＮ通りの対応階調値が得られる。そこで、図１７に示すように、第１の座標軸（横軸）に階調値、第２の座標軸（縦軸）に輝度をとった二次元座標系を定義し、この座標系上に、各参照輝度および対応階調値を座標値としてもつＮ個の点（図１０の例の場合は３個の点Ｑ１，Ｑ２，Ｑ３）をプロットし、更に、最小輝度値および最小階調値を座標値としてもつ点（図１７の例の場合は原点Ｏ）と最大輝度値および最大階調値を座標値としてもつ点（図１７の例の場合は点Ｐ）とをプロットし、プロットされた合計（Ｎ＋２）個の点を通るグラフを、階調再現特性を示すグラフとして、各原色ごとの階調再現特性を示すグラフを求めればよい。
【０１３８】
このように、二次元座標系上にプロットされた複数の座標点を通る近似関数曲線を求める方法には、様々な手法が知られている。たとえば、スプライン曲線やベジェ曲線などは、複数の点を通る近似関数曲線として広く知られているので、必要があれば、これらの曲線を用いた近似を行えばよい。
【０１３９】
前述したように、一般的なＣＲＴモニタの場合であれば、図１７に示すような５点Ｏ，Ｑ１，Ｑ２，Ｑ３，Ｐがプロットされ、べき乗の形式で定義される関数曲線による近似が可能である。ところが、本願発明者による測定によると、液晶モニタなどでは、図１８に示すようなＳ字状の特性曲線が得られることも少なくない。このようなＳ字状の特性曲線は、べき乗の形式で定義される一般的なガンマ特性カーブによる近似を行うことができないので、スプライン曲線やベジェ曲線などを用いた近似を行うことができる。
【０１４０】
ただ、実用上は、スプライン曲線やベジェ曲線などを用いた近似は、必ずしも適当ではない。その理由は、スプライン曲線やベジェ曲線は、いわゆるドロー形式の作図用ソフトウエアで利用される物体の輪郭形状を表現するための曲線であり、物理的な意味をもつグラフを表現する上では不都合な点があるためである。具体的に言えば、階調再現特性を示す関数の両変数となる階調値および輝度は、いずれも正の値をとるべき変数であり、負の値を示すことはない。したがって、図１８に示すグラフも、この二次元座標系の第１象限にのみ定義されるグラフということになる。ところが、スプライン曲線やベジェ曲線などによる近似を行うと、このような物理的な意味を無視した近似が行われてしまうため、グラフが第２象限や第４象限に食み出してしまう結果になりかねない。したがって、近似曲線を求める際には、それなりの配慮が必要になる。
【０１４１】
そこで本願発明者は、まず、二次元座標系上にプロットされた５点Ｏ，Ｑ１，Ｑ２，Ｑ３，Ｐについて、べき乗の形式で定義される関数曲線による近似を試みて、近似がうまくゆかない場合には、これが図１８に示すようなＳ字状の特性曲線であるものと考え、次のような方法で、２つの部分に分け、それぞれの部分をべき乗の形式で定義される関数曲線で近似させる手法をとると有効であることを見出した。具体的には、図１８に示す例の場合、点Ｏ，Ｑ１，Ｑ２の各点を通る第１の関数曲線と、点Ｑ２，Ｑ３，Ｐの各点を通る第２の関数曲線と、の２つの関数曲線によって近似すればよい。ここで、この２つの関数曲線は、いずれもべき乗の形式で定義される関数曲線で近似すればよい。そうすれば、必ず第１象限内のグラフが得られることになる。
【０１４２】
結局、この手法は、二次元座標系上にプロットした５個の点を第１の座標軸上の座標値の昇順に第１の点〜第５の点と呼んだときに、第１、第２、第３の各点を通り輝度が階調値のべき乗の形式で定義される第１の関数曲線と、第３、第４、第５の各点を通り輝度が階調値のべき乗の形式で定義される第２の関数曲線と、を演算により求め、第１の関数曲線と第２の関数曲線とを連結してなる曲線を、階調再現特性を示すグラフとする手法と言うことができる。このように、２つの関数曲線を連結した場合、連結点となる第３の点（図１８における点Ｑ２）において、両関数曲線の曲率が乖離する可能性があるが、階調再現特性を示すグラフとして利用する上では、特に支障は生じない。
【０１４３】
＜＜＜  §５．より好ましいテストパターン  ＞＞＞
続いて、本発明を実施する上で、より好ましいテストパターンＴ１を述べておく。これまで述べてきた実施形態では、図１０（ａ）に示すように、正方形状をした第１属性の領域１０と、その周囲を囲むような枠状をした第２属性の領域２０とによって構成されるテストパターンＴ１を用い、第２属性の領域２０内には、図１０（ｂ）に示すように、ストライプ模様状の参照パターンを形成するようにしていた。このようなテストパターンＴ１は、従来から利用されているパターンであるが、必ずしも最適のテストパターンではない。
【０１４４】
本願発明者は、図１０（ａ）に示す従来のテストパターンよりも、図１９（ａ）に示すようなテストパターンＴ１を用い、図１０（ｂ）に示す従来の参照パターンよりも、図１９（ｂ）に示すような参照パターンを用いた方が、より正確な測定が可能になることを見出した。図１９（ａ）に示すテストパターンＴ１は、均一パターンを表示するための第１属性の領域５０と、参照パターンを表示するための第２属性の領域６０と、によって構成されるが、参照パターンは、図１９（ｂ）の拡大平面図に示すように、第１副領域６１（図における黒いセル）と第２副領域６２（図における白いセル）とによる市松模様をなす。なお、図１９（ａ）では、図示の便宜上、第２属性の領域６０内に水平線によるハッチングを施して示してあるが、実際には、第２属性の領域６０内には、図１９（ｂ）の拡大平面図に示すような市松模様からなる参照輝度５０％の参照パターンが形成されていることになる。以下、この図１９（ａ）に示すテストパターンＴ１および図１９（ｂ）に示す参照パターンの特徴と、その特徴により得られる固有の効果を述べることにする。
【０１４５】
（１）  参照パターンに関する特徴
図１９（ｂ）に示す参照パターンを、図１０（ｂ）に示す参照パターンと比較すると、後者が白黒のストライプ模様のパターンから構成されているのに対し、前者は白黒の市松模様のパターンから構成されていることがわかる。ここで、図１９（ｂ）に示す参照パターンが市松模様パターンとなっているのは、たまたま、この参照パターンが参照輝度５０％を示すパターンであるためであり、その本質は、第１副領域６１（黒）と第２副領域６２（白）とを、同一の形状および大きさをもった単位セルによって構成し、この単位セルの二次元配列によって参照パターンを構成した点にある。特に、ここに示す例では、矩形状（この例では正方形）の単位セルを二次元行列状に配列することにより参照パターンを構成している。
【０１４６】
このように、同一の形状および大きさをもった単位セルの二次元配列によって構成された参照パターンは、ストライプ模様からなる参照パターンに比べて、観察時の疑似的な均一性をより高める効果を有する。オペレータによる目視測定時には、参照パターンは、ある程度の視距離から観察されることになるので、ストライプ模様のパターンも市松模様のパターンも、実際には、その模様自体が直接オペレータに認識されることはなく、いずれもほぼグレーの一様なパターンとして認識される。ただ、市松模様のパターンの方が、より細かな単位セルから構成されているため、観察時の均一性はより向上することになる。
【０１４７】
この特徴は、特に、５０％以外の参照輝度をもった参照パターンを形成する場合に顕著である。たとえば、§４で述べた実施例の場合、３通りの参照輝度２５％，５０％，７５％をもった参照パターンを用意する必要があるが、このような場合、単位セルの二次元配列により参照パターンを形成する方法は特に効果を発揮する。矩形状の単位セルを二次元行列状に配列した参照パターンを用いて、参照輝度２５％および７５％の参照パターンを形成した例を、図２０（ａ）および（ｂ）に示す。なお、図２０（ｂ）では、説明の便宜上、第２副領域６２（白）を構成する各単位セルの境界線を描いて示してあるが、実際には、この白いセル間の境界線は表示されない。
【０１４８】
参照輝度の設定は、第１副領域６１（黒）と第２副領域６２（白）との面積比を変えることにより行うことになる。すなわち、参照輝度を２５％に設定するためには、この面積比を３：１とし、参照輝度を７５％に設定するためには、この面積比を１：３とする必要がある。矩形状の単位セルを二次元行列状に配列した参照パターンを用いると、面積比１：１（図１９（ｂ））、３：１（図２０（ａ））、１：３（図２０（ｂ））の設定を合理的に行うことができ、しかも疑似的な均一性を十分に確保したパターンを得ることができる。
【０１４９】
これらの３通りの参照パターンでは、いずれも、２行２列に配置された４つの単位セルにより１つのセルグループが構成されている。ここで、各セルグループを構成する４つの単位セルのうち、斜めに隣接する一対の単位セルによって第１の副領域６１（黒）を構成し、残りの一対の単位セルによって第２の副領域６２（白）を構成すれば、面積比１：１となる図１９（ｂ）に示す参照パターンを構成することができる。また、各セルグループを構成する４つの単位セルのうち、１つの単位セルによって一方の副領域を構成し、残りの３つの単位セルによって他方の副領域を構成し、面積比３：１もしくは１：３となる参照パターンを構成すれば、図２０（ａ）もしくは（ｂ）に示す参照パターンを構成することができる。いずれの場合も、形成される参照パターンは、２行２列に配置された４つの単位セルからなるセルグループの繰り返しパターンとなるので、疑似的な均一性を十分に確保することができる。
【０１５０】
要するに、任意の奇数ｉ，ｊについて、ｉ行ｊ列目の単位セル、ｉ行（ｊ＋１）列目の単位セル、（ｉ＋１）行ｊ列目の単位セル、（ｉ＋１）行（ｊ＋１）列目の単位セル、という４つの単位セルからなるセルグループを定義し、第１副領域および第２副領域の配置パターンを、すべてのセルグループについて共通にすれば、形成される参照パターンは、２行２列に配置された４つの単位セルからなるセルグループの繰り返しパターンとなり、疑似的な均一性の確保が可能になる。
【０１５１】
これに対し、図１０（ｂ）に示すような従来のストライプ状の参照パターンによって、参照輝度を２５％あるいは７５％に設定するには、黒黒黒白あるいは黒白白白というような行配列を行う必要があり、疑似的な均一性は低下せざるを得ない。
【０１５２】
（２）  第１属性の領域の形状に関する特徴
続いて、図１０（ａ）に示すテストパターンにおける第１属性の領域１０と、図１９（ａ）に示すテストパターンにおける第１属性の領域５０との形状を比較すると、前者が正方形であるのに対し、後者は円形となっている。本願発明者は、テストパターンにおける第１属性の領域と第２属性の領域との境界線は、直線ではなく曲線で構成すべきであると考えており、実用上は、テストパターンを構成する第１属性の領域の輪郭を円または楕円にするのが好ましいと考えている。これは、両領域の境界を直線にすると、この直線近傍に規則的なパターンが目立つようになるためである。図１０（ａ）に示すように、第１属性の領域１０の形状を正方形にすると、この正方形状の輪郭に沿って規則的なパターンが視認されるようになり、一致判定処理に悪い影響を及ぼすことになる。特に、本発明では、明るさの一致判定だけでなく、色の一致判定も行う必要があり、一致判定処理に悪影響が及ぶ要素は極力排除する必要がある。
【０１５３】
（３）  第１属性の領域を複数箇所に分散配置する特徴
図１９（ａ）に示すテストパターンの大きな特徴は、第１属性の領域５０が複数箇所に分散して配置されており、その背景部分が第２属性の領域６０になっている点である。すなわち、図１０（ａ）に示す従来のテストパターンでは、正方形からなる第１属性の領域１０が１つだけ中央に配置されているのに対し、図１９（ａ）に示す本発明に係るテストパターンでは、円形からなる複数の第１属性の領域５０が、所定のピッチで縦横に分散配置されている。
【０１５４】
このように、第１属性の領域５０を複数箇所に分散配置した理由は、第１属性の領域５０と第２属性の領域６０との境界線の全長をできるだけ長くするためである。本発明の基本原理に基づく測定では、第１属性の領域内に表示された均一パターンと、第２属性の領域内に表示された参照パターンとについて、明るさと色を比較する作業が不可欠であるが、この比較作業は、両領域の境界線が長いほど行いやすい。実際、オペレータの目視確認作業では、第１属性の領域５０が第２属性の領域６０内にあたかも溶け込んで、両者の境界が認識できなくなった状態になったら、一致認定が行われることになる。したがって、より精度の高い一致認識を行う上では、両領域の境界線が長いほど好ましい。
【０１５５】
第１属性の領域５０を複数箇所に分散配置すれば、境界線の全長をそれだけ長くすることができる。実際、図１０（ａ）に示すテストパターンと図１９（ａ）に示すテストパターンについて、境界線の全長を比較すれば、後者の方がはるかに長くなっていることは容易に理解できよう。なお、ここに示す実施形態とは逆に、第２属性の領域を複数箇所に分散配置し、その背景を第１属性の領域とすることも可能である（ちょうど、第１９（ａ）において、領域６０を第１属性、領域５０を第２属性とする）。
【０１５６】
なお、実用上は、第１属性の領域５０の面積の総和が第２属性の領域の面積６０の総和に等しくなるように設定するのが好ましい。たとえば、図１９（ａ）に示すテストパターンの場合、第１属性の領域５０は、合計１２個の円形領域により構成され、第２属性の領域６０は、この円形領域が配置された背景領域により構成されているが、この場合、合計１２個の円の面積の総和が、背景領域の面積に等しくなるような設定を行うのが好ましい。これは、互いに比較対象となる均一パターンの表示領域と参照パターンの表示領域との面積を同一にし、対等な比較が行われるようにするための配慮である。本発明のように、明るさとともに色の一致認識も行う場合、いずれか一方の面積の方が大きいと、面積の大きな領域の方に視覚が引きずられてしまい、厳密には一致認識が得られていないのに、誤った一致認識がなされてしまうおそれがある。両領域の総面積を同一にしておけば、このような誤認識を排除した対等な比較が可能になる。
【０１５７】
（４）  第１属性の領域の配置ピッチに関する特徴
図１９（ａ）に示す本発明に係るテストパターンＴ１の大きな特徴が、第１（または第２）属性の領域を複数箇所に分散配置した点にあることは既に述べたとおりである。ここでは、この配置ピッチに関する特徴を述べる。
【０１５８】
後に詳述するように、明るさや色の違いを目視により見分ける場合、人間の認識感度には、対象物の空間周波数に対する依存性があることが知られている。したがって、目視確認の対象となるオブジェクトは、人間による認識感度が高いとされている所定の空間周波数で配置するのが好ましい。そこで、図１９（ａ）に示すテストパターンについても、第１属性の領域５０を、いずれも形状および大きさが同一となる領域とし、人間による認識感度が高いとされている所定の空間周波数が得られるように所定ピッチで二次元平面上に分散配置するのが好ましい。
【０１５９】
図２１は、同一半径ｒの円により、第１属性の領域７０を構成し、二次元平面上に所定ピッチで配置した例を示す平面図である。より具体的に説明すれば、まず、第１属性の領域７０を横方向に所定ピッチＰｘで複数配置した一次元領域配列を、縦方向に所定ピッチＰｙ（但し、Ｐｙ＝√３／２・Ｐｘ）で複数配置し、かつ、互いに隣接する一次元領域配列間では位相が半ピッチずれるように配置したものである。別言すれば、この二次元平面は、図示されている六角形を１ユニット領域として、複数のユニット領域によって埋め尽くされる構成になっており、個々のユニット領域を構成する六角形の中心および各頂点位置に、７つの円の中心が配置されていることになる。
【０１６０】
このような配置を行えば、横方向に隣接する一対の円のピッチは必ずピッチＰｘになり、また、斜め上下方向に隣接する一対の円のピッチも必ずピッチＰｘになり、二次元平面上で隣接配置された一対の円は、必ず一定のピッチＰｘで配置されていることになる。したがって、ピッチＰｘを、人間による認識感度が高いとされている所定の空間周波数に対応するピッチに設定しておけば、好ましい認識感度をもったテストパターンが得られる。
【０１６１】
なお、前述したように、円からなる第１属性の領域の面積の総和が背景部分となる第２属性の領域の面積に等しくなるような設定を行う場合、半径ｒとピッチＰｘとの間には、一定の関係が定まる。すなわち、六角形のユニット領域内において、各円の内部の領域（図のグレーの領域）の面積と、各円の外部の領域（図の白い領域）とが同一になる、という条件が課されることになり、このような条件下では、幾何学的な面積計算により、
（円の半径ｒ）≒（ピッチＰｘ）×（３／８）
なる概算式が導かれる。
【０１６２】
次に、図２２に示すように、一対の対象物（円形の第１属性の領域）７０がピッチＰｘで配置されているモデルを考える。この一対の対象物７０を、視距離Ｌで観察したときの視角をθとする。一般に、空間的に提示された時間的に一定な種々の周波数の正弦波や矩形波パターンに対して測定された視覚系の感度は、空間周波数特性ＭＴＦ（Ｍｏｄｕｌａｔｉｏｎ  Ｔｒａｎｓｆｅｒ  Ｆｕｎｃｔｉｏｎ）あるいはコントラスト弁別感度特性と呼ばれており、所定ピッチで繰り返し配置された対象物に対する人間の視覚系の感度は、図２２に示す視角θに依存するものとされている。たとえば、「坂田春夫，磯野春雄共著：色覚における色度の空間周波数特性（色差弁別閾），テレビ学誌，１９７７年  ３１巻（１），２９〜３５頁」には、図２３に示すような人間の視覚系の感度特性グラフが示されている。横軸は、観察対象物の空間周波数（単位：ｃｙｃｌｅ／ｄｅｇ）を対数尺度で示したものであり、縦軸は、対象物の明暗差および色差を弁別する人間の視覚系の相対感度値である。
【０１６３】
この図２３に示すような特性を考慮すれば、テストパターンを目視するオペレータにとって、明暗差弁別特性および色差弁別特性の双方について良好な感度を示す空間周波数が得られるような所定ピッチで、同一属性の領域を分散配置すれば、より精度の高い測定結果が期待できるテストパターンを構成することができることになる。
【０１６４】
図２３のグラフから、各最適値を抽出すると、図２４のような表が得られる。すなわち、図２３のグラフから、明暗差弁別特性の最適値（一点鎖線で示すグラフのピーク位置に対応する空間周波数）を求めると、２．５  [ｃｙｃｌｅ／ｄｅｇ]  となり、黄／青色差弁別特性の最適値（実線で示すグラフのピーク位置に対応する空間周波数）を求めると、０．４  [ｃｙｃｌｅ／ｄｅｇ]  となる。また、両特性の妥協値としては、たとえば、０．６  [ｃｙｃｌｅ／ｄｅｇ]  程度の値を設定することができる。実際、図２３に示すグラフによれば、空間周波数０．６あたりでは、いずれの特性もある程度の感度が得られており、空間周波数を妥協値０．６に設定したテストパターンを形成すれば、明るさの一致認識を行う場合にも、色の一致認識を行う場合にも、ある程度良好な認識感度が得られることになる。
【０１６５】
なお、空間周波数（単位：ｃｙｃｌｅ／ｄｅｇ）と視角（単位：ｄｅｇ／ｃｙｃｌｅ）とは逆数の関係にあり、図２４の表に示す各空間周波数２．５，０．４，０．６に対する視角は、図示のとおり、それぞれ０．４０，２．５０，１．６７になる。これは、図２２に示す視角θが、０．４０ｄｅｇ，２．５０ｄｅｇ，１．６７ｄｅｇ  となるようなピッチＰｘで第１属性の領域７０を配置すれば、明暗差弁別特性が最適なパターン、黄／青色差弁別特性が最適なパターン、両特性を妥協させたパターンが得られることを示している。
【０１６６】
もっとも、視角θとピッチＰｘとの間には、視距離Ｌを介して、
Ｐｘ＝２Ｌ・ｔａｎ  （θ／２）
なる関係があるので、視角θが定まっても、視距離Ｌを決めなければ、ピッチＰｘを決めることができない。ただ、一般的なモニタの場合、オペレータの視距離はほぼ一定の範囲内に維持されることになろう。たとえば、平成１４年１２月１６日付発出の人事院のＶＤＴ作業指針によれば、視距離は４０ｃｍ以上確保することとされており、実際の作業環境でも、モニタの大きさなどによって若干の相違はあるものの、ほぼ４０ｃｍ前後と考えてよい。したがって、実用上は、視距離Ｌ＝４０ｃｍ前後に設定し、明暗差弁別特性および色差弁別特性の両者について、ある程度良好な認識感度が得られるようなピッチＰｘを設定すればよい。
【０１６７】
たとえば、視距離Ｌ＝４０ｃｍに設定すると、図２４に示す両特性の妥協値を示す視角θ＝１．６７ｄｅｇに相当するピッチは、上述の式による演算の結果、Ｐｘ≒１２ｍｍとなる。したがって、図２１に示すテストパターンの場合、Ｐｘ≒１２ｍｍに設定すればよいことになる。また、円からなる第１属性の領域の面積の総和が背景部分となる第２属性の領域の面積に等しくなるようにするには、述した「ｒ≒Ｐｘ・３／８」なる式により、円の半径をｒ≒４．５ｍｍにすればよいことになる。したがって、たとえば、１画素のサイズが０．２５ｍｍのモニタの場合であれば、円の半径を１８画素分、ピッチＰｘを４８画素分に設定したテストパターンを表示すればよい。
【０１６８】
もっとも、より厳密に言えば、図２４の表に示されているとおり、明暗差弁別特性の最適値と色差弁別特性の最適値とは異なっているので、より好ましい実施形態としては、テストパターンを目視するオペレータにとって、明暗差弁別特性について良好な感度を示す空間周波数が得られるような第１のピッチと、色差弁別特性について良好な感度を示す空間周波数が得られるような第２のピッチと、をそれぞれ設定しておき、オペレータによる明るさの一致認識作業が行われるときには、第１のピッチで同一属性の領域を分散配置してなるテストパターンを表示させ、オペレータによる色の一致認識作業が行われるときには、第２のピッチで同一属性の領域を分散配置してなるテストパターンを表示させるようにし、表示対象となるテストパターンの構成を切り替えるような処理を行うとよい。
【０１６９】
たとえば、図２４の表において、視距離Ｌ＝４０ｃｍに設定した場合、明暗差弁別特性の最適値となる視角θ＝０．４０ｄｅｇに相当するピッチと円の半径は、ピッチＰｘ≒２．８ｍｍ、半径ｒ≒１．１ｍｍとなる。一方、黄／青色差弁別特性の最適値となる視角θ＝２．５０ｄｅｇに相当するピッチと円の半径は、ピッチＰｘ≒１７．５ｍｍ、半径ｒ≒６．６ｍｍとなる。したがって、図１６に示す流れ図に基づく処理を行う場合であれば、ステップＳ２，Ｓ３における「明るさ一致」の認識処理を行う際には、ピッチＰｘ≒２．８ｍｍ、半径ｒ≒１．１ｍｍとなるような円を配置したテストパターンを表示し、ステップＳ４，Ｓ５における「色一致」の認識処理を行う際には、ピッチＰｘ≒１７．５ｍｍ、半径ｒ≒６．６ｍｍとなるような円を配置したテストパターンを表示するようにすればよい。
【０１７０】
実際、この程度の大きさの円を多数配置したテストパターンを用いて、明るさや色の一致認識を行う作業は、オペレータの実感としては、「２つの領域の明るさや色を一致させる作業」というよりは、むしろ「テストパターン全体に明るさや色のムラが生じないように調整する作業」ということになる。すなわち、明るさや色が一致していないと、ピッチＰｘの周期で、明るさや色のムラが生じているように感じられる。このように、図１０（ａ）に示す従来のテストパターンを用いた目視測定と、図１９（ａ）に示す本発明のテストパターンＴ１を用いた目視測定とでは、オペレータの感覚上、大きな違いが生じるものであり、本発明のテストパターンを用いた測定の方が、より良好な結果を得ることができる。
【０１７１】
＜＜＜  §６．本発明に係る階調再現特性測定の構成  ＞＞＞
次に、本発明に係るカラーモニタの階調再現特性測定処理の基本構成を、図２５のブロック図を参照しながら説明する。図示のとおり、本発明に係るカラーモニタの階調再現特性測定処理の主たる構成要素は、階調値指定手段２１０、参照パターン生成手段２２０、パターン表示手段２３０、階調値変動手段２４０、一致信号入力手段２５０、特性演算手段２６０であり、オペレータの目視測定操作により、モニタ２０７の階調再現特性を測定する機能を有している。
【０１７２】
もっとも、図１に示したように、本発明に係る測定装置は、実際には、モニタ２０７に接続されたモニタ特性測定装置１０１に、所定のプログラムを組み込むことにより実現することができるので、上記各構成要素は、実際には、モニタ特性測定装置１０１に組み込まれたプログラムによって実現されることになる。
【０１７３】
階調値指定手段２１０は、第１属性の領域５０内に、明るさおよび色が一様な均一パターンを表示させるための三原色ＲＧＢの階調値の組み合わせを指定する機能をもった構成要素であり、パターン表示手段２３０に対して、ＲＧＢの各階調値を指定する。一方、参照パターン生成手段２２０は、第２属性の領域６０内に、三原色ＲＧＢがそれぞれ最小階調値をもつ第１副領域と、三原色ＲＧＢがそれぞれ最大階調値をもつ第２副領域と、を所定面積比で混在させることにより、所定の参照輝度をもつ参照パターンを生成する機能をもった構成要素である。§５で述べた実施例の場合であれば、測定に必要な参照輝度に応じて、図１９（ｂ）、図２０（ａ）、図２０（ｂ）の３通りの参照パターンを選択的に生成させることができる。
【０１７４】
これら各構成要素から与えられるデータに基づいて、パターン表示手段２３０は、モニタ２０７の画面上に、図示のようなテストパＴ１を表示する。このテストパターンＴ１は、互いに接するように配置された第１属性の領域５０と第２属性の領域６０とによって構成されるパターンであり、特に、ここに示すカラーパターンは、図１９（ａ）に示したカラーパターンと同じものである。すなわち、円形をした第１属性の領域５０が所定ピッチで二次元平面状に配置されており、その背景部分が第２属性の領域６０を構成している。既に述べたとおり、第１属性の領域５０内には、階調値指定手段２１０によって指定されたＲＧＢの階調値の組み合わせに基づく均一パターンが表示され、第２属性の領域６０内には、参照パターン生成手段２２０で生成された参照パターンが表示される。実際には、パターン表示手段２３０からモニタ２０７に対して、このようなテストパターンを表示させるための所定の電気信号が与えられることになる。
【０１７５】
階調値変動手段２４０は、階調値指定手段２１０よって指定される各階調値を変動させる変動操作を実行する機能を有する。この変動操作により、第１属性の領域５０内に表示されている均一パターンの明るさおよび色が変わることになる。§２で述べたとおり、階調値の変動操作には、明るさ変動操作と色変動操作とがある。§２に述べた実施例の場合、階調値変動手段２４０は、オペレータからの操作入力により、明るさ変動操作と色変動操作を行う。この場合、階調値変動手段２４０には、図１３または図１４に示すような操作パネルを、モニタ２０７の画面上（通常は、テストパターンの脇）に表示させ、オペレータのマウス操作などに基づいて、明るさや色が変動するように、階調値指定手段２１０によって指定される各階調値を変動させる処理を行う。一方、§３で述べたように、自動的に変動操作を実行させる実施例の場合は、オペレータからの操作入力を待たずして、図１６のフローチャートに基づく手順により、明るさ変動操作および色変動操作を実行することになる。
【０１７６】
一致信号入力手段２５０は、階調値変動手段２４０による変動操作が行われている状態において、モニタ２０７の画面上に表示されたテストパターンを目視するオペレータから、第１属性の領域５０と第２属性の領域６０との明るさおよび色がともに一致したとの認識を示す一致信号を入力する機能を有する。明るさの一致と色の一致とを、それぞれ別々に入力する実施例の場合には、この一致信号入力手段２５０は、明るさ一致信号入力手段２５１と色一致信号入力手段２５２とによって構成されることになる。たとえば、図１３および図１４に示す一致ボタン３０は、明るさと色の双方の一致を示すボタンであり、この一致ボタン３０をクリックする操作により、明るさと色の双方が一致したことを示す一致信号の入力が行われる。これに対して、図１５に示す明るさ一致ボタン４１は、明るさの一致を示す明るさ一致信号入力手段２５１として機能し、図１５に示す色一致ボタン４２は、色の一致を示す色一致信号入力手段２５２として機能することになる。
【０１７７】
特性演算手段２６０は、一致信号入力手段２５０から、明るさと色との双方が一致したことを示す一致信号が入力されたときに、階調値指定手段２１０により指定されていたＲＧＢの各階調値の組み合わせを、参照パターン生成手段２２０によって生成された参照パターンを構成する第１副領域と第２副領域との面積比に応じた参照輝度に対応する各原色の対応階調値と認識し、互いに対応関係にある参照輝度と対応階調値とに基づいて、各原色ごとの階調再現特性を示すグラフを演算により求める処理を実行する。具体的な演算方法については、既に述べたとおりである。かくして、ＲＧＢの各原色ごとに、階調再現特性を示すグラフが出力される。なお、ここでは説明の便宜上、階調再現特性を連続的な関数関係を示すグラフとして示したが、特性演算手段２６０により求める階調再現特性は、必ずしもグラフの形式にする必要はなく、たとえば、階調値と輝度値との対応関係を示す数値テーブルのような形式でもかまわない。
【０１７８】
次に、本発明の白色色度の測定方法について、詳しく説明する。
＜＜＜  §７．本発明に係る白色色度の測定方法  ＞＞＞
図２６は、本発明に係るカラーモニタの白色色度の測定処理の基本構成を示すブロック図である。モニタ特性測定装置（パーソナルコンピュータ）１０１は、本発明に係る測定装置であり、モニタ２０７について、その設置場所の照明環境を考慮した白色色度を測定する機能を有する。
【０１７９】
本発明の白色色度の測定方法の基本原理は、予め基準となる白色を示す基準体ＲＥなるものを用意し、モニタ２０７の画面上に表示させたテストパターンＴ２の色が、この基準体ＲＥの色と同じ色に見えるように調整を行う、という点にある。すなわち、図２６において、モニタ２０７の画面内に描かれたテストパターンＴ２は、モニタ特性測定装置１０１側から与えられる信号に基づいて、モニタ２０７の画面上に表示されたパターンであるのに対して、基準体ＲＥは、オペレータが手に保持した実在の物体である。オペレータは、テストパターンＴ２の近傍に基準体ＲＥを配置し、両者の色を肉眼で比較しながら、比較結果をモニタ特性測定装置１０１に入力する作業を行うことになる。
【０１８０】
基準体ＲＥとしては、基準となる白色を示す物体であれば、どのようなものでもかまわない。たとえば、一般的なカード状の白紙を基準体ＲＥとして用いることができる。ただ、測定時には、複数のモニタに対して、常に同一の基準体ＲＥを用いるのが好ましいので、実用上は、ある程度の堅牢性をもった物体を基準体ＲＥとして用いるのがよい。たとえば、白いタイルなどは、実用上、十分な堅牢性をもった基準体ＲＥとして用いることができる。また、基準体ＲＥは、「白」の統一基準を示す指標として利用されるため、できるだけ物理的に白色の物体にするのが好ましい。このような点からは、硫酸バリウムを用いた完全拡散板なども、基準体ＲＥとして用いるのに適している。もちろん、基準となる基準モニタを別に用意し、この基準モニタに白色表示させた画面を、基準体ＲＥとして用いることも可能である。ただ、基準モニタの白色表示は、経年変化により変動する可能性があり、また、装置自体の大きさや重さを考慮すると、取り扱いに不便であり、実用上はあまり好ましくない。なお、印刷物を作成するためのＤＴＰの作業をモニタ上で行う場合は、印刷物上の白色とモニタ上の白色とを一致させるようにするのが好ましいので、実際の印刷工程で用いる用紙をそのまま基準体ＲＥとして用いるようにすればよい。そうすれば、用紙の色が完全な白色からずれているような場合でも、印刷物上の白色（インキが付着していない部分の色）とモニタ上の白色とを合わせることができる。
【０１８１】
さて、本発明に係る白色色度測定処理は、図示のとおり、テストパターン表示手段４１０、階調値格納手段４２０、比較結果入力手段４３０、階調値変動手段４４０、測定結果出力手段４５０によって構成されている。
【０１８２】
テストパターン表示手段４１０は、測定対象となるモニタ２０７の画面上に、テストパターンＴ２を表示させる機能をもった構成要素である。図示の例では、正方形の領域をもったテストパターンＴ２が表示されているが、表示されるテストパターンＴ２の大きさや形状は、特に限定されるものではない。ただ、後述するように、オペレータの目視による比較作業を行う上では、用いる基準体ＲＥとほぼ同一の形状および大きさをもったテストパターンＴ２を表示するのが好ましい。これは、人間の目の特性として、同一の色であっても、提示される面積の大小によって、感覚的に認識される色に変動が生じるためである。
【０１８３】
一方、階調値格納手段４２０には、三原色ＲＧＢの階調値の組み合わせが格納されている。たとえば、三原色ＲＧＢの階調値が、０〜２５５の範囲をとる８ビットのデータで表現されていたとすると、階調値格納手段４２０には、Ｒ＝２５５，Ｇ＝２００，Ｂ＝２３４のような階調値が格納されることになる。テストパターン表示手段４１０は、この階調値格納手段４２０に格納されている三原色ＲＧＢの階調値の組み合わせに基づいて、テストパターンＴ２の表示を行う。すなわち、テストパターンＴ２は、その全領域にわたって、均一の色をもったパターンであるが、その色は、階調値格納手段４２０内に格納されている三原色ＲＧＢの階調値に基づいて決定されることになる。上述の例のように、階調値格納手段４２０内に、Ｒ＝２５５，Ｇ＝２００，Ｂ＝２３４という階調値が格納されていた場合、テストパターンＴ２の全領域が、この階調値に対応する色で表示されることになる。もちろん、同じ階調値Ｒ＝２５５，Ｇ＝２００，Ｂ＝２３４を与えても、テストパターンＴ２として表示される実際の物理的な色は、個々のモニタごとに異なる。
【０１８４】
階調値変動手段４４０は、階調値格納手段４２０内に格納されている階調値を、予め定められた所定の規則に従って時間とともに変動させる変動操作を行う機能を有している。この変動操作の具体的な内容については後に詳述するが、この変動操作により、階調値格納手段４２０内の階調値は時々刻々と変化することになり、当然、モニタ２０７の画面上に表示されるテストパターンＴ２の色も時々刻々と変化することになる。オペレータは、この時々刻々と変化するテストパターンＴ２の色と基準体ＲＥの色とを比較する作業を行うことになる。
【０１８５】
比較結果入力手段４３０は、階調値変動手段４４０による変動操作が行われている状態において、モニタ２０７の画面上に表示されたテストパターンＴ２を目視するオペレータから、基準体ＲＥの色とテストパターンＴ２の色とを比較対象とする比較結果を入力する機能を果たす。そして、オペレータから、比較対象となる２つの色が一致した旨の比較結果が入力されると、測定結果出力手段４５０に対して一致信号を与える。
【０１８６】
測定結果出力手段４５０は、比較結果入力手段４３０から一致信号が与えられた時点で（すなわち、オペレータが、比較対象となる２つの色が一致した旨の比較結果を入力した時点で）、階調値格納手段４２０に格納されている三原色ＲＧＢの階調値の組み合わせ（たとえば、Ｒｗ，Ｇｗ，Ｂｗ）を、モニタ２０７の現照明環境下における基準体ＲＥを基準とした白色色度を示す測定結果として出力する。
【０１８７】
結局、測定結果出力手段４５０から出力された階調値Ｒｗ，Ｇｗ，Ｂｗは、測定対象となるモニタ２０７に、当該階調値を与えると、現在の照明環境の下において基準体ＲＥと同一色として観測される色表示が行われることを示している。たとえば、Ｒｗ＝２５５，Ｇｗ＝２０５，Ｂｗ＝１８０という結果が出力されたとすれば、このモニタ２０７の表示画面上に、現在の照明環境下で、基準体ＲＥと同等の白色を表示させるためには、Ｒ＝２５５，Ｇ＝２０５，Ｂ＝１８０なる階調値の組み合わせを与えればよいことがわかる。もちろん、測定結果として得られる階調値Ｒｗ，Ｇｗ，Ｂｗの具体的な値は、個々の照明環境下に設置されたカラーモニタごとに異なるが、少なくとも、個々のカラーモニタに対して、個々の測定結果として得られた階調値Ｒｗ，Ｇｗ，Ｂｗを与えれば、その照明環境下で観察した基準体ＲＥと同等の白色が得られることになる。
【０１８８】
したがって、本発明に係る白色色度測定処理による測定結果は、多数のスタッフの分業により商用印刷物を作成するＤＴＰ処理を行うような場合に有用である。個々のスタッフは、それぞれ独自の照明環境下で、それぞれ固有の特性をもったカラーモニタを利用することになるが、全スタッフがそれぞれ共通の基準体ＲＥを使って、本発明に係るモニタ特性測定装置１０１による測定を行い、得られた白色色度のプロファイルデータを各自のパソコンに組み込んで補正を行うようにすれば、いずれのスタッフも、室内照明が蛍光灯か電球か、室内の壁紙が何色か、太陽光が差し込むか否か、などの条件に左右されることなしに、目視の感覚上では、同一の白色を基準としたカラー画像を各自のモニタ上で見ることができるようになる。
【０１８９】
もちろん、測定時に異なる白色特性をもった基準体ＲＥを用いて得られたプロファイルデータでは、このような統一性を得ることはできないが、たとえば、硫酸バリウムからなる完全拡散板を標準の基準体ＲＥとして用いる、というような取り決めをしておけば、必ずしも物理的に同一の物体を基準体として用いなくても、かなり広い統一性をもったプロファイルデータを得ることができるようになる。
【０１９０】
続いて、階調値変動手段４４０による具体的な変動操作と、比較結果入力手段４３０に対する比較結果の具体的な入力方法について説明する。前述のとおり、階調値変動手段４４０は、階調値格納手段４２０内に格納されている階調値を、予め定められた所定の規則に従って、時間とともに変動させる変動操作を行う構成要素であるが、実用上は、複数の原色の階調値を同時に変動させるのではなく、三原色ＲＧＢのうちの１つを特定色として選択して、一度に１つの特定色についての階調値を変動させるようにした方が、オペレータの比較作業も容易になる。そうすれば、オペレータは、三原色ＲＧＢのそれぞれについて、基準体ＲＥの色と一致をとるための最適な階調値を別個独立して決定することができるようになる。
【０１９１】
図２７は、このような作業を行うために用いる操作パネルの一例を示す平面図である。ここで、ボタン８１〜８３は、三原色Ｒ，Ｇ，Ｂそれぞれについての変動開始ボタンであり、ボタン８４は、三原色に共通の変動停止ボタンであり、ボタン８５は、一致ボタンである。ここで、変動開始ボタン８１〜８３および変動停止ボタン８４は、オペレータが階調値変動手段４４０に対して変動指示を与えるために利用されるボタンであり、一致ボタン８５は、オペレータが比較結果入力手段４３０に対して一致を示す比較結果を入力するために利用されるボタンである。これらのボタンは、モニタ２０７の表示画面上に、テストパターンＴ２とともに表示され、マウスポインタなどでクリックすることにより押すことができる。
【０１９２】
オペレータが、変動開始ボタン８１をクリックすると、階調値変動手段４４０は、このオペレータからの変動指示に応じて、階調値格納手段４２０内に格納されている階調値Ｒを変動させる変動操作を開始する。具体的には、階調値Ｒに対して、所定周期で所定の変動量を加えるもしくは減じる変動操作が開始されることになる。たとえば、階調値格納手段４２０内に格納されている階調値Ｒの初期値がＲ＝１００であり、所定周期が１秒であり、変動量が５であった場合、変動開始ボタン８１をクリックすることにより、Ｒ＝１０５，１１０，１１５…と１秒おきに変化してゆく。当然、モニタ２０７上のテストパターンＴ２の色合いも徐々に変化してゆくことになる。変動停止ボタン８４は、このような変動操作を停止させるためのボタンであり、階調値変動手段４４０に対して、変動操作を停止させる指示を与えることができる。
【０１９３】
同様に、変動開始ボタン８２は、階調値変動手段４４０に対して、階調値Ｇを変動させる変動操作を開始させる指示を与えるボタンであり、変動開始ボタン８３は、階調値変動手段４４０に対して、階調値Ｂを変動させる変動操作を開始させる指示を与えるボタンである。
【０１９４】
なお、このような階調値の変動操作は、０〜２５５の階調値の範囲内で階調値を循環変動もしくは往復変動させることにより、変動停止ボタン８４がクリックされるまで、永遠に続行されるようにしておく。図２８は、この循環変動と往復変動とを説明する図である。図示の例は、最小階調値０〜最大階調値２５５までの範囲を変動範囲Ｌとして設定したものである。
【０１９５】
循環変動による変動操作は、図２８（１）に示すように、変動量を加算する変動操作により得られる階調値が変動範囲Ｌの最大階調値２５５を上回ってしまう場合には、変動範囲Ｌの最小階調値０側から計数する循環処理を行い、逆に、変動量を減算する変動操作により得られる階調値が変動範囲Ｌの最小階調値０を下回ってしまう場合には、最大階調値２５５側から計数する循環処理を行うというものである。たとえば、変動量Ｓ＝５を加算する変動操作により、階調値が２４５，２５０と増加してゆき２５５まで達したとすると、次に５を加算すると２６０になってしまうが、この場合には、２５６を減じて、次の階調値を４とし、９，１４，１９，…と循環させればよい。変動量Ｓ＝５を減算する場合は、逆に、１９、１４、９、４、２５５、２５０…と循環させればよい。
【０１９６】
一方、往復変動による変動操作は、図２８（２）に示すように、変動量を加算する変動操作により得られる階調値が変動範囲Ｌの最大階調値２５５を上回ってしまう場合には、この最大階調値２５５側から変動量を減算する変動操作に切り換える折り返し処理を行い、逆に、変動量を減算する変動操作により得られる階調値が変動範囲Ｌの最小階調値０を下回ってしまう場合には、この最小階調値０側から変動量を加算する変動操作に切り換える折り返し処理を行うというものである。たとえば、変動量Ｓ＝５を加算する変動操作により、階調値が……２４５，２５０と増加してゆき２５５まで達したとすると、次に５を加算すると２６０になってしまうが、この場合には、２５５に達した時点で変動量５を減算するように転じて、次の階調値を２５０，２４５，２４０，…とするような折り返し処理を行えばよい。そして、階調値が１５，１０，５，０まで到達したら、再び、変動量５を加算するように転じて、５，１０，１５，…のように折り返せばよい。
【０１９７】
図２７に示す変動開始ボタン８１，８２，８３のいずれかがクリックされた場合、該当する原色の階調値が、０〜２５５の変動範囲を循環変動もしくは往復変動することになるので、オペレータは、テストパターンＴ２が一定周期で繰り返し変動するリズムを把握することができるようになる。このようなリズムを把握することができれば、テストパターンＴ２の色と基準体ＲＥの色とが最も近くなった時点で、変動停止ボタン８４をクリックする操作が比較的容易に行えるようになろう。
【０１９８】
なお、この実施形態の場合、階調値の変動操作は、常に、三原色ＲＧＢのいずれか１つの特定色の階調値のみを変動させる操作として行われるので、変動開始ボタン８１，８２，８３のいずれかをクリックして、特定色の階調値の変動操作が行われた後は、変動停止ボタン８４をクリックして、当該特定色に関する変動操作を停止した後でなければ、別な色の変動開始ボタンが機能しないようなしくみにするか、あるいは、第１の特定色に関する変動操作が行われている最中に、第２の特定色についての変動開始ボタンがクリックされたときには、第１の特定色についての変動操作を自動的に停止した上で、第２の特定色についての変動操作を開始するようなしくみにしておくのが好ましい。
【０１９９】
このように、階調値変動手段４４０に、オペレータから与えられる変動指示に応じて、所定の原色の階調値に対して所定周期で所定の変動量を加えるもしくは減じる変動操作を開始および停止する機能をもたせておけば、オペレータは、必要に応じて、三原色ＲＧＢのうちの所望の原色に対する変動操作を開始させたり停止させたりする指示を与えることができ、テストパターンＴ２の色を基準体ＲＥの色に近づける作業を行うことができる。そして、最終的に、この比較対象が一致したと認識できる状態になったら、一致ボタン８５をクリックすればよい。
【０２００】
なお、本願において、「色が一致」あるいは「色が同じ」とは、必ずしも完全に２つの色が一致したとの認識が得られる状態を言うものではなく、一方の色を変動させた状態において、両者が最も近くなったとの認識が得られる状態も意味するものである。したがって、オペレータは、色が変動中のテストパターンＴ２と基準体ＲＥとを見比べながら、両者の色合いが最も近くなったと感じた瞬間に、一致ボタン８５をクリックする操作を行えばよい。この一致ボタン８５がクリックされると、比較結果入力手段４３０に対して、比較対象が一致した旨の比較結果が入力されることになり、比較結果入力手段４３０から測定結果出力手段４５０に対して、一致信号が与えられる。測定結果出力手段４５０が、この時点で、階調値格納手段４２０内に格納されている三原色ＲＧＢの階調値Ｒｗ，Ｇｗ，Ｂｗを測定結果として出力する処理を行うことは、既に述べたとおりである。
【０２０１】
ただ、実用上は、図２７に示すような操作パネルを用いて、三原色ＲＧＢの各階調値をそれぞれ変動させる形態は、オペレータにとって必ずしも操作性のよいものではない。その理由は、変動対象となるパラメータが、原色Ｒ，Ｇ，Ｂという３通りになるためである。実際、この３通りのパラメータを調整して、テストパターンＴ２の色を基準体ＲＥの色に一致させようとする作業を行うには、かなりの熟練を要する。一般的なオペレータは、両者が一致していないことは認識できても、どの原色の階調値をどのように変えれば、両者が一致するようになるのか、ということを把握することは困難である。
【０２０２】
そこで、実用上は、いずれか１つの原色の階調値を最大階調値に固定し、残りの２つの原色の階調値のみを変動させるような変動操作を行うようにするのが好ましい。そもそも白色は、理論的には、各原色の発光輝度を最大にすることにより得られる色であるので、三原色ＲＧＢのうちの少なくとも１つの原色の階調値は、最大階調値に設定するのが好ましい。したがって、１つの原色の階調値が常に最大階調値となるように固定しても、何ら支障は生じない。
【０２０３】
本願発明者は、多数のメーカーから市販されている多種類のカラーモニタの白色特性を種々の照明環境で調べたところ、ある共通した傾向があることを発見した。それは、いずれのケースも、三原色ＲＧＢのそれぞれを最大階調値にした場合（すなわち、Ｒ＝２５５，Ｇ＝２５５，Ｂ＝２５５なる階調値を与えた場合）、画面上に表示される色は、本来の白色よりもやや緑色がかるか、やや青色がかる傾向にあり、決して赤っぽく観察されることはない、という事実である。別言すれば、いずれのケースでも、白色を表示させるためには、Ｒ＝２５５，Ｇ＝２５５，Ｂ＝２５５の状態から、原色Ｇの階調値を若干減少させるか、あるいは原色Ｂの階調値を若干減少させればよいことになる。
【０２０４】
このような事実を踏まえると、実用上は、三原色ＲＧＢのうちの原色Ｒについては、常に最大階調値Ｒ＝２５５に固定した状態とし、原色Ｇおよび原色Ｂについてのみ階調値の変動操作を行うようにすれば合理的である。図２９は、このような観点に立った操作パネルの一例を示す平面図である。この操作パネルには、スタートボタン９１と、２つの一致ボタン９２，９３とが設けられているだけであり、オペレータは、三原色ＲＧＢという概念をもつ必要はない。各ボタンの脇には、それぞれ説明文が表示されており、オペレータは、この説明文に従って、ボタンをクリックする操作を行えばよい。
【０２０５】
まず、オペレータは、「ステップ０：測定を開始する時に押して下さい」なる説明文に従って、スタートボタン９１をクリックする。すると、原色Ｇについての変動操作が開始する。このとき、原色ＲとＢの階調値は固定のままである。オペレータは、この変動操作中、テストパターンＴ２を見ながら、基準体ＲＥと同じ色になったと認識した時点で、「ステップ１：色が同じになったら押してください」なる説明文に従って、一致ボタン９２をクリックする。すると、今度は、原色Ｂについての変動操作が開始する。このとき、原色ＲとＧの階調値は固定のままである。すなわち、一致ボタン９２をクリックした時点で、原色Ｇについての変動操作は停止し、停止時の階調値をそのまま維持することになる。オペレータは、原色Ｂについての変動操作中、テストパターンＴ２を見ながら、基準体ＲＥと同じ色になったと認識した時点で、「ステップ２：色が同じになったら押してください」なる説明文に従って、一致ボタン９３をクリックする。
【０２０６】
以上の操作で、テストパターンＴ２の色と基準体ＲＥの色とを一致させる上での、原色Ｇについての最適階調値Ｇｗと原色Ｂについての最適階調値Ｂｗとが、オペレータのボタン操作により決定する。このとき、原色Ｒは最大階調値Ｒ＝２５５に固定されたままであり、原色Ｒについての最適階調値は、常にＲｗ＝２５５になる。
【０２０７】
このように、この図２９に示す操作パネルを用いた例では、階調値変動手段４４０は、変動対象となる特定の原色の階調値に対して所定周期で所定の変動量を加えるもしくは減じる変動操作を行うとともに、比較結果入力手段４３０に入力された比較結果に応じて、変動対象となる特定の原色を切り替える処理を行っていることになる。すなわち、一致ボタン９２は、テストパターンＴ２の色と基準体ＲＥの色とが一致した（あるいは近づいた）旨の比較結果を入力するボタンであるが、原色Ｇについての変動操作から原色Ｂについての変動操作に切り替える指示を与えるボタンとしても機能していることになる。
【０２０８】
結局、図２９に示す操作パネルを用いて測定を行うことができるようにするためには、階調値変動手段４４０に、原色Ｇの階調値に対して所定周期で所定の変動量を加えるもしくは減じる緑色変動操作と、原色Ｂの階調値に対して所定周期で所定の変動量を加えるもしくは減じる青色変動操作と、を選択的に行う機能をもたせておくようにし、比較結果入力手段４３０には、階調値変動手段４４０が緑色変動操作を行っている状態において、基準体ＲＥの色とテストパターンＴ２の色とが最も近似した旨を示す緑色近似信号と、階調値変動手段４４０が青色変動操作を行っている状態において、基準体ＲＥの色とテストパターンＴ２の色とが最も近似した旨を示す青色近似信号と、をオペレータから入力する機能をもたせておくようにすればよい。そして、比較結果入力手段４３０に、青色近似信号と緑色近似信号との双方が入力されたときに、比較対象が一致した旨の比較結果が入力されたものとして取り扱い、測定結果出力手段４５０に対して一致信号を与えるようにすればよい。
【０２０９】
図３０は、図２９に示す操作パネルを用いた測定手順を示すフローチャートである。まず、ステップＳ１１において、各原色の階調値が初期値に設定される。この例では、原色Ｒの初期値は２５５となっているが、原色Ｇの初期値Ｇ０および原色Ｂの初期値Ｂ０は、任意の値でかまわない。続いて、ステップＳ１２において、スタートボタン９１が押されたか否かが検知される。スタートボタン９１が押されると、ステップＳ１３において、緑色変動操作が実行される。すなわち、原色Ｇの階調値が、所定の変動量だけ増減されることになる。このとき、必要に応じて、循環処理あるいは折り返し処理が行われる。そして、ステップＳ１４では、一致ボタン９２が押されたか否かが検知され、一致ボタン９２が押されるまで、ステップＳ１３の緑色変動操作が繰り返し実行される。なお、このステップＳ１３，Ｓ１４のループ処理は、たとえば、１秒周期など、所定の周期で実行されるような設定がなされる。
【０２１０】
やがて、一致ボタン９２が押されると、ステップＳ１５において、青色変動操作が実行される。すなわち、一致ボタン９２が押された時点で、比較結果入力手段４３０には、緑色近似信号が与えられることになり、これまで行われていた緑色変動操作は停止され、原色Ｇの階調値はその時点の値に固定される。そして、これまで固定されていた原色Ｂの階調値に対する変動操作が開始する。すなわち、原色Ｂの階調値が、所定の変動量だけ増減されることになる。このとき、必要に応じて、循環処理あるいは折り返し処理が行われる。そして、ステップＳ１６では、一致ボタン９３が押されたか否かが検知され、一致ボタン９３が押されるまで、ステップＳ１５の青色変動操作が繰り返し実行される。このステップＳ１５，Ｓ１６のループ処理も、たとえば、１秒周期など、所定の周期で実行されるような設定がなされる。
【０２１１】
こうして、一致ボタン９３が押されると、ステップＳ１７が実行される。すなわち、一致ボタン９３が押された時点で、比較結果入力手段４３０には、青色近似信号が与えられることになり、これまで行われていた青色変動操作は停止され、原色Ｂの階調値はその時点の値に固定される。そして、比較結果入力手段４３０から測定結果出力手段４５０に対して、一致信号が与えられる。この一致信号を受けた測定結果出力手段４５０は、その時点で階調値格納手段４２０に格納されていた原色ＲＧＢの各階調値を、測定結果として出力する処理を行う。
【０２１２】
この図３０のフローチャートに示す測定手順では、オペレータは、ステップＳ１４における一致ボタン９２のクリックにより原色Ｇの階調値を定め、ステップＳ１６における一致ボタン９３のクリックにより原色Ｂの階調値を定めることになり、これらのステップで定まった階調値Ｇｗ，Ｂｗと、始めから固定されていた階調値Ｒｗ（＝２５５）とが、測定結果として出力されることになる。このような方法でも、各色の変動操作中は、階調値が循環変動もしくは往復変動するので、オペレータは、最も色が近くなった時点で一致ボタンのクリックを行うことができ、ある程度正確に最適な階調値を定めることが可能である。
【０２１３】
ただ、より実用的な運用を考慮すると、原色Ｇ，Ｂの階調値をそれぞれ１回のクリック操作で決定してしまうよりは、オペレータが最終決定を行う際に、何かチャンスを与えるようにするのが好ましい。図３１のフローチャートに示す測定手順は、このような点を考慮した実施形態を示すものである。この実施形態では、原色Ｒの階調値を最大階調値２５５に固定する点は変わりないが、原色Ｇ，Ｂの階調値については、オペレータの複数回のクリック操作で決定することになる。
【０２１４】
まず、ステップＳ２１において、各原色の階調値が初期値に設定される。やはり、原色Ｒの初期値は２５５となっているが、原色Ｇの初期値Ｇ０および原色Ｂの初期値Ｂ０は、任意の値でかまわない。ここでは、説明の便宜上、Ｇ０＝２００，Ｂ０＝２００に設定したものとしよう。また、このステップＳ２１では、変動操作の変動量Ｓの初期値Ｓ０および変動範囲Ｌの初期値Ｌ０も設定される。ここでは、Ｓ０＝１０，Ｌ０＝０〜２５５に設定されたものとしよう。
【０２１５】
続いて、ステップＳ２２において、マウスクリックが行われたか否かが検知される。この実施形態では、これまでの実施形態のように複数のボタンを表示することはせず、単一のボタンだけを画面上に表示するようにしている。いわば、この単一のボタンは、この測定手順を次のステップに移行させるためのステップ移行ボタンとしての役割を果たすことになる。したがって、オペレータは、この単一のボタンをマウスなどでクリックする操作を行うだけでよく、ボタンを選択する作業は不要である。また、特定のボタンを全く表示させずに、画面上のどの位置でマウスクリックを行ってもクリック操作が行われたものとして認識するようにしてもかまわない。もちろん、オペレータの操作は、必ずしもマウスクリックに限定されるものではなく、たとえば、キーボードのスペースキーなどを押す操作を、マウスクリック操作の代わりに利用してもかまわない。
【０２１６】
さて、ステップＳ２２で、クリックが検出されると、ステップＳ２３において、緑色変動操作が実行される。すなわち、原色Ｇの階調値が、その時点での変動量Ｓの値だけ増減されることになる。このとき、必要に応じて、循環処理あるいは折り返し処理が行われるが、この循環処理あるいは折り返し処理の基準となる変動範囲Ｌは、その時点での設定値ということになる。ここでは説明の便宜上、常に、変動量Ｓだけ増加させる変動操作を行うとともに、変動範囲Ｌを越えてしまう場合には、常に循環処理を行うことにより対処する例を述べよう。上述の例では、変動量Ｓは初期値Ｓ０＝１０に設定されており、変動範囲Ｌも初期値Ｌ０＝０〜２５５に設定されているので、ステップＳ２３では、まず、原色Ｇの階調値が、初期値２００から２１０に更新されることになり、最大階調値２５５を越えるまで、１０ずつ増加させる更新処理が続けられることになる。
【０２１７】
こうして、ステップＳ２４において、クリックの検出が行われるまで、ステップＳ２３，Ｓ２４をループする処理が繰り返し実行され、原色Ｇの階調値について、２２０，２３０，２４０，２５０，…と変動量Ｓ＝１０ずつ増加させる更新が行われる。そして、次の段階で階調値２６０に更新されると、変動範囲Ｌの最大階調値２５５を上回わることになるので、循環処理を行うために２５６を減じることにより、新たな階調値を４に設定する処理が行われ、以後、１４，２４，３４，…と変動量Ｓ＝１０ずつ増加させる更新が行われる。なお、このとき、原色Ｒ，Ｂは、それぞれＲ＝２５５，Ｂ＝２００に固定されたままである。
【０２１８】
このような更新処理を、たとえば、１秒周期で行うとすれば、原色Ｇの階調値
は、約２５秒で一巡することになり、オペレータは、テストパターンＴ２の色合いが約２５秒周期で変動する様子を観察することができる。そして、テストパターンＴ２の色が基準体ＲＥの色に最も近いと感じた時点で、クリック操作を行う。ここでは、一例として、原色Ｇ＝１９３のときに、オペレータによるクリック操作が行われたものとして、以下の説明を続けることにする。
【０２１９】
ステップＳ２４で、クリックが検出されると、ステップＳ２５において、青色変動操作が実行される。このステップＳ２４におけるクリック操作は、比較結果入力手段４３０に対して緑色近似信号を入力するとともに、階調値変動手段４４０に対して、変動対象となる原色を切り替える指示を与える意味をもつ。これにより、原色Ｇの変動操作は停止し、原色Ｇの階調値は、Ｇ＝１９３の状態を維持することになる。そして、今度は、原色Ｂの階調値が、変動量Ｓ＝１０の値だけ増加される変動操作が行われる。このとき、他の原色は、Ｒ＝２５５、Ｇ＝１９３に固定されたままである。
【０２２０】
こうして、ステップＳ２６において、次のクリックの検出が行われるまで、ステップＳ２５，Ｓ２６をループする処理が繰り返し実行され、原色Ｂの階調値について、２１０，２２０，２３０，２４０，２５０，４，１４，２４…と変動量Ｓ＝１０ずつ循環変動により増加させる更新が継続される。オペレータは、再び、テストパターンＴ２の色が基準体ＲＥの色に最も近いと感じた時点で、クリック操作を行う。ここでは、一例として、原色Ｂ＝２３１のときに、オペレータによるクリック操作が行われたものとして、以下の説明を続けることにする。この時点で、階調値格納手段４２０内に格納されている各原色の階調値は、Ｒ＝２５５，Ｇ＝１９３，Ｂ＝２３１である。
【０２２１】
ステップＳ２６で、クリックが検出されると、ステップＳ２７へと進むことになる。このステップＳ２６におけるクリック操作は、比較結果入力手段４３０に対して青色近似信号を入力するとともに、階調値変動手段４４０に対して、変動対象となる原色を切り替える指示を与える意味をもつ。すなわち、ステップＳ２７，Ｓ２８を経て、再びステップＳ２３からの処理が実行されることになり、原色Ｂの変動操作は停止し、原色Ｇの変動操作が再開される。ただし、この二巡目の手順では、変動量Ｓおよび変動範囲Ｌが更新されることになる。具体的には、ステップＳ２８において、変動量Ｓおよび変動範囲Ｌを、ともに減少させる更新処理が実行される。ここでは、二巡目については、変動量Ｓ＝３、変動範囲Ｌ＝±３０というような更新が行われたものとしよう。なお、Ｌ＝±３０なる変動範囲は、現時点での階調値を中心として、上下に３０の幅をもった範囲を意味する。
【０２２２】
さて、二巡目のステップＳ２３，Ｓ２４のループでは、原色Ｇの階調値に対して、新たな変動量Ｓ＝３ずつ増加する更新が行われる。したがって、上述の例の場合、Ｇ＝１９３，１９６，１９９，２０２…というような更新が行われる。ただし、変動範囲Ｌ＝±３０という新たな設定となっているため、具体的な変動範囲は、原色Ｇの二巡目当初の階調値Ｇ＝１９３を中心として±３０の幅となり、１６３〜２２３という範囲になる。結局、二巡目では、この１６３〜２２３という変動範囲内で、３刻みで原色Ｇの階調値が循環変動することになる。
【０２２３】
同様に、二巡目のステップＳ２５，Ｓ２６のループでは、原色Ｂの階調値に対して、新たな変動量Ｓ＝３ずつ増加する更新が行われる。したがって、上述の例の場合、Ｇ＝２３１，２３４，２３７，２４０…というような更新が行われる。ただし、変動範囲Ｌ＝±３０という新たな設定となっているため、具体的な変動範囲は、原色Ｂの二巡目当初の階調値Ｇ＝２３１を中心として±３０の幅となり、２０１〜２６１（実際には、循環変動により、２５６〜２６１の部分については、０〜５に置き換わる）という範囲になり、この変動範囲内で、３刻みで原色Ｂの階調値が循環変動することになる。
【０２２４】
このような処理が、ステップＳ２７において変動量Ｓが規定値に達したと判断されるまで、繰り返し実行される。たとえば、変動量Ｓ＝１を規定値に設定しておけば、変動量Ｓが１に達するまで、ステップＳ２８における更新が行われ、ステップＳ２３〜Ｓ２６の処理が繰り返されることになる。
【０２２５】
ステップＳ２８における更新幅は、変動量Ｓおよび変動範囲Ｌが徐々に減少するような設定であれば、どのような設定を行ってもかまわないが、具体的には、たとえば、変動量Ｓについては、「１０」→「３」→「１」のように更新値を定めておき、変動範囲Ｌについては、「全範囲（０〜２５５）」→「±３０」→「±７」のように更新値を定めておけばよい。この場合、一巡目は、Ｓ＝１０，Ｌ＝０〜２５５なる設定で処理が行われ、二巡目は、Ｓ＝３，Ｌ＝±３０なる設定で処理が行われ、三巡目は、Ｓ＝１，Ｌ＝±７なる設定で処理が行われることになり、三巡目が完了したときに、ステップＳ２７において、Ｓが規定値に達したと判断され、ステップＳ２９へと進むことになる。
【０２２６】
こうして、ステップＳ２７でＳが規定値に達したと判断された時点で、比較結果入力手段４３０から階調値変動手段４４０に対して一致信号が与えられることになる。そして、ステップＳ２９に示すとおり、測定結果出力手段４５０によって、その時点で階調値格納手段４２０内に格納されている三原色ＲＧＢの階調値が、測定結果Ｒｗ，Ｇｗ，Ｂｗとして出力される処理が実行される。
【０２２７】
この図３１に示すような測定手順を実行するためには、階調値変動手段４４０に、緑色変動操作を行っている状態において緑色近似信号が入力された時点で青色変動操作を開始し、青色変動操作を行っている状態において青色近似信号が入力された時点で緑色変動操作を開始し、緑色変動操作と青色変動操作とを交互に繰り返し実行する機能をもたせるようにし、かつ、階調値の変動量Ｓおよび変動範囲Ｌを徐々に減少させながら繰り返し実行する機能をもたせておくようにすればよい。また、比較結果入力手段４３０には、変動量Ｓが所定の規定値に達した後に、緑色近似信号と青色近似信号との双方の入力が完了した場合に、比較対象が一致した旨の比較結果が入力されたものとして取り扱い、一致信号を出力する機能をもたせておくようにすればよい。
【０２２８】
このように、図３１に示す測定処理では、階調値の変動量Ｓおよび変動範囲Ｌを徐々に減少させながら、オペレータに色一致の認識入力を繰り返し実行させることができるため、図３０に示す測定処理に比べて、より精度の高い測定結果を得ることが可能になる。すなわち、一巡目、二巡目、三巡目と繰り返してゆくうちに、原色Ｇ，Ｂの階調値が徐々に最適な値へと近づいてゆくことになる。また、階調値の変動量Ｓが、徐々に減少してゆくので、変動操作の刻み幅は、最初は粗く、徐々に細かくなってゆくことになり、しかも、変動範囲Ｌも徐々に狭まってゆくことになるので、階調値が徐々に最適値へと絞り込まれるようになり、効率良い測定操作が可能になる。
【０２２９】
また、この測定処理では、オペレータ側から見た操作性も極めて高くなる。前述したように、オペレータの操作としては、単なるマウスクリックだけでよいので、テストパターンＴ２と基準体ＲＥとを注視しながら作業を進めることができる。要するに、オペレータは、両方の色が最も近くなったと感じた瞬間に、マウスをクリックする作業を繰り返してゆくだけでよく、上述の例の場合、三巡の処理において、合計６回だけクリック操作を行えば、測定は自動的に完了することになる。なお、実用上は、クリック操作が行われるたびに、オペレータに対して、何らかの音を提示するか、何らかのメッセージを画面上に表示するようにして、６回の測定を繰り返し実行していることを認識させるとともに、各回の区切りが明確に把握できるようにするのが好ましい。
【０２３０】
以上、図３０および図３１を参照しながら、三原色ＲＧＢのうちの原色Ｒについては、常に最大階調値Ｒ＝２５５に固定した状態とし、原色Ｇおよび原色Ｂについてのみ階調値の変動操作を行う実施例を述べた。ここでは、続いて、別なアプローチに基づく実施例を述べておく。
【０２３１】
ここで述べる別なアプローチは、赤の反対色が緑、黄の反対色が青、という人間の色に対する一般的な知覚に基づくものである。すなわち、人間の知覚によると、赤っぽいか緑っぽいか、というバランスが色の１つの尺度となっており、また、黄色っぽいか青っぽいか、というバランスが色のもう１つの尺度となっている。本願発明者は、このような人間の色に対する知覚を利用して、赤っぽいか緑っぽいかという観点からの白色認識作業と、黄色っぽいか青っぽいかという観点からの白色認識作業とを行うようにすれば、より人間の知覚に合致した測定作業が可能になることを見い出した。
【０２３２】
すなわち、まず、テストパターンＴ２の表示色を、緑色の状態から徐々に緑色を薄めてゆき、白色を経てやがて薄い赤色に転じ、徐々に赤色を強めてゆく、というように変動させたり、あるいは、逆に、赤色の状態から徐々に赤色を薄めてゆき、白色を経てやがて薄い緑色に転じ、徐々に緑色を強めてゆく、というように変動させたりすれば、赤っぽくもなく緑っぽくもない、という赤と緑の中間点として、白色の認識が可能になる。ここでは、このような変動操作を赤／緑変動操作と呼ぶことにする。この赤／緑変動操作において、オペレータが白色と認識した色は、あくまでも赤／緑という反対色成分が中和した色としての意味をもつ。
【０２３３】
一方、テストパターンＴ２の表示色を、黄色の状態から徐々に黄色を薄めてゆき、白色を経てやがて薄い青色に転じ、徐々に青色を強めてゆく、というように変動させたり、あるいは、逆に、青色の状態から徐々に青色を薄めてゆき、白色を経てやがて薄い黄色に転じ、徐々に黄色を強めてゆく、というように変動させたりすれば、黄色っぽくもなく青っぽくもない、という黄と青の中間点として、白色の認識が可能になる。ここでは、このような変動操作を黄／青変動操作と呼ぶことにする。この黄／青変動操作において、オペレータが白色と認識した色は、あくまでも黄／青という反対色成分が中和した色としての意味をもつ。
【０２３４】
結局、テストパターンＴ２の表示色を、上述した赤／緑変動操作により変動させた状態で、オペレータから色が一致した旨の信号を入力し、更に、上述した黄／青変動操作により変動させた状態で、オペレータから色が一致した旨の信号を入力すれば、赤／緑という反対色成分と黄／青という反対色成分との双方について中和した色が得られることになり、人間の色に対する知覚に合致した精度の高い測定結果を得ることができる。
【０２３５】
このようなアプローチをとる場合、図３０および図３１のフローチャートに示す手順を若干修正すればよい。まず、図３０のステップＳ１１では、三原色ＲＧＢの階調値をそれぞれ所定の初期値に設定する。この実施例では、原色Ｒも固定されることはなく、階調値の変動対象となる。ステップＳ１２において、スタートボタン９１が押されたことが検知されると、測定作業が開始する点は、前述の実施例と全く同様である。ただ、ステップＳ１３では、緑色変動操作の代わりに、上述した赤／緑変動操作が実施される。このため、ステップＳ１４において一致ボタン９２が押された場合、赤／緑という反対色成分のバランスに関する観点において、色の一致が得られたことになる。ここでは、このステップＳ１４における一致ボタン９２の操作により得られる信号を赤／緑近似信号と呼ぶことにする。
【０２３６】
一方、ステップＳ１５では、青色変動操作の代わりに、上述した黄／青変動操作が実施される。このため、ステップＳ１６において一致ボタン９３が押された場合、黄／青という反対色成分のバランスに関する観点において、色の一致が得られたことになる。ここでは、このステップＳ１６における一致ボタン９３の操作により得られる信号を黄／青近似信号と呼ぶことにする。かくして、ステップＳ１４において赤／緑近似信号が得られ、ステップＳ１６において黄／青近似信号が得られたら、赤／緑という反対色成分のバランスに関しても、黄／青という反対色成分のバランスに関しても、色の一致が得られたことになるので、最終的に、ステップＳ１７において、その時点の三原色ＲＧＢの各階調値が測定結果として出力されることになる。
【０２３７】
ステップＳ１３において、赤／緑変動操作を実施するには、階調値変動手段４４０に、原色Ｒの階調値に対して所定周期で所定の変動量を加えるもしくは減じるか、または、原色Ｇの階調値に対して所定周期で所定の変動量を加えるもしくは減じる変動を行う機能を設けておけばよい。赤／緑という反対色成分のバランスを調整するには、原色Ｒの階調値を増減してもよいし、原色Ｇの階調値を増減してもよい。両者は反対色であるため、両者のバランス調整を行う上では、原色Ｒの階調値を増加させる変動操作と原色Ｇの階調値を減少させる変動操作とは等価になり、同様に、原色Ｇの階調値を増加させる変動操作と原色Ｒの階調値を減少させる変動操作とは等価になる。
【０２３８】
したがって、たとえば、原色Ｒの階調値を徐々に増加させていった結果、最大階調値にまで達してしまった場合（たとえば、Ｒ＝２５５）、今度は原色Ｇの階調値を徐々に減少させることにより、視覚的には、赤味を強め、緑味を弱めるという同一の調整方向への変動を継続させることも可能である。同様に、原色Ｒの階調値を徐々に減少させていった結果、最小階調値にまで達してしまった場合（たとえば、Ｒ＝０）、今度は原色Ｇの階調値を徐々に増加させることにより、視覚的には、緑味を強め、赤味を弱めるという同一の調整方向への変動を継続させることも可能である。
【０２３９】
このように、赤／緑変動操作は、原理的には、原色Ｒの階調値を増減する方法によっても、原色Ｇの階調値を増減する方法によっても、実施することが可能であるが、実用上は、原色Ｒの階調値を変動させる操作と、原色Ｇの階調値を変動させる操作と、を交互に繰り返し実行するのが好ましい。たとえば、原色Ｒの階調値を徐々に増加させてゆき、最大階調値に達した場合（たとえば、Ｒ＝２５５）、今度は原色Ｇの階調値を徐々に減少させてゆく操作を行う。そして、原色Ｇの階調値が最小階調値に達した場合（たとえば、Ｇ＝０）、今度は、原色Ｒの階調値を徐々に減少させてゆき、原色Ｒの階調値が最小値に達した場合（たとえば、Ｒ＝０）、今後は、原色Ｇの階調値を徐々に増加させてゆく。そして、原色Ｇの階調値が最大階調値に達した場合（たとえば、Ｇ＝２５５）、今度は、原色Ｒの階調値を徐々に増加させてゆく。このように、原色Ｒの変動と原色Ｇの変動とを交互に行えば、オペレータには、赤味→緑味→赤味→緑味→と交互に赤っぽくなったり緑っぽくなったり周期的に変化するテストパターンを提示することができ、しかも各色の階調値を最大階調値から最小階調値までの全範囲で変動させることが可能になる。
【０２４０】
一方、ステップＳ１５において、黄／青変動操作を実施するには、原理的には、階調値変動手段４４０に、原色Ｙの階調値に対して所定周期で所定の変動量を加えるもしくは減じるか、または、原色Ｂの階調値に対して所定周期で所定の変動量を加えるもしくは減じる変動を行う機能を設けておけばよい。黄／青という反対色成分のバランスを調整するには、原色Ｙの階調値を増減してもよいし、原色Ｂの階調値を増減してもよい。両者は反対色であるため、両者のバランス調整を行う上では、原色Ｙの階調値を増加させる変動操作と原色Ｂの階調値を減少させる変動操作とは等価になり、同様に、原色Ｂの階調値を増加させる変動操作と原色Ｙの階調値を減少させる変動操作とは等価になる。
【０２４１】
しかしながら、実際には、カラーモニタの三原色はＲＧＢであり、原色Ｙの成分は含まれていないため、原色Ｙの階調値を直接増減させるような変動操作は行うことはできない。そこで、本実施例では、原色Ｙが、原色Ｒと原色Ｇとの混色として得られる点に着目し、原色Ｒと原色Ｇとの組み合わせを原色Ｙの代わりに用いることにより、上述した原理に基づく黄／青変動操作を実施するようにしている。
【０２４２】
具体的には、階調値変動手段４４０に、原色Ｒの階調値および原色Ｇの階調値に対して所定周期で所定の同一変動量を同時に加えるもしくは減じるか、または、原色Ｂの階調値に対して所定周期で所定の変動量を同時に加えるもしくは減じる変動を行う機能を設けておけばよい。黄／青という反対色成分のバランスを調整するには、原色Ｒと原色Ｇの階調値を同時に同じ量だけ増減してもよいし（実質的に、原色Ｙの階調値を増減することと等価になる）、原色Ｂの階調値を増減してもよい。原色Ｙ（原色Ｒと原色Ｇとの混色）と原色Ｂは反対色であるため、両者のバランス調整を行う上では、原色ＲおよびＧの階調値を同時に同量だけ増加させる変動操作と原色Ｂの階調値を減少させる変動操作とは等価になり、同様に、原色Ｂの階調値を増加させる変動操作と原色ＲおよびＧの階調値を同時に同量だけ減少させる変動操作とは等価になる。
【０２４３】
したがって、たとえば、原色ＲおよびＧの階調値を、（Ｒ＝２００，Ｇ＝１００）→（Ｒ＝２０５，Ｇ＝１０５）→（Ｒ＝２１０，Ｇ＝１１０）→（Ｒ＝２１５，Ｇ＝１１５）→……と、徐々に増加させていった結果、少なくともその一方が最大階調値にまで達してしまった場合（たとえば、Ｒ＝２５５，Ｇ＝１５５）、今度は原色Ｂの階調値を、たとえば、Ｂ＝１２０→１１５→１１０→１０５→……と、徐々に減少させることにより、視覚的には、黄味を強め、青味を弱めるという同一の調整方向への変動を継続させることが可能である。同様に、原色ＲおよびＧの階調値を、（Ｒ＝２００，Ｇ＝１００）→（Ｒ＝１９５，Ｇ＝９５）→（Ｒ＝１９０，Ｇ＝９０）→……と、徐々に減少させていった結果、少なくともその一方が最小階調値にまで達してしまった場合（たとえば、Ｒ＝１００，Ｇ＝０）、今度は原色Ｂの階調値を、たとえば、Ｂ＝１２０→１２５→１３０→１３５→……と、徐々に増加させることにより、視覚的には、青味を強め、黄味を弱めるという同一の調整方向への変動を継続させることが可能である。
【０２４４】
このように、黄／青変動操作は、原理的には、原色ＲおよびＧの階調値を同時に同量だけ増減する方法によっても、原色Ｂの階調値を増減する方法によっても、実施することが可能であるが、実用上は、原色ＲおよびＧの階調値を同時に同量だけ変動させる操作と、原色Ｂの階調値を変動させる操作と、を交互に繰り返し実行するのが好ましい。たとえば、原色ＲおよびＧの階調値を同時に同量だけ徐々に増加させてゆき、いずれか一方が最大階調値に達した場合（たとえば、Ｒ＝２５５）、今度は原色Ｂの階調値を徐々に減少させてゆく操作を行う。そして、原色Ｂの階調値が最小階調値に達した場合（たとえば、Ｂ＝０）、今度は、原色ＲおよびＧの階調値を同時に同量だけ徐々に減少させてゆき、いずれか一方が最小値に達した場合（たとえば、Ｇ＝０）、今後は、原色Ｂの階調値を徐々に増加させてゆく。そして、原色Ｂの階調値が最大階調値に達した場合（たとえば、Ｂ＝２５５）、今度は、原色ＲおよびＧの階調値を同時に同量だけ徐々に増加させてゆく。このように、原色ＲおよびＧの変動と原色Ｂの変動とを交互に行えば、オペレータには、黄味→青味→黄味→青味→と交互に黄色っぽくなったり青っぽくなったり周期的に変化するテストパターンＴ２を提示することができ、しかも各色の階調値を最大階調値から最小階調値までの全範囲で変動させることが可能になる。
【０２４５】
結局、この実施例では、比較結果入力手段４３０は、階調値変動手段４４０が赤／緑変動操作を行っている状態において、基準体ＲＥの色とテストパターンＴ２の色とが最も近似した旨を示す赤／緑近似信号と、階調値変動手段４４０が黄／青変動操作を行っている状態において、基準体ＲＥの色とテストパターンＴ２の色とが最も近似した旨を示す黄／青近似信号と、をオペレータから入力する機能を有し、赤／緑近似信号と黄／青近似信号との双方が入力されたときに、比較対象が一致した旨の比較結果が入力されたものとして取り扱うことになる。
【０２４６】
もちろん、図３１のフローチャートに示す実施例においても、同様のアプローチをとることが可能である。すなわち、ステップＳ２１では、三原色ＲＧＢの階調値にそれぞれ所定の初期値を設定し、ステップＳ２３では、緑色変動操作の代わりに、上述した赤／緑変動操作を行うようにし、ステップＳ２４のクリック操作で、赤／緑近似信号を入力できるようにする。同様に、ステップＳ２５では、青色変動操作の代わりに、上述した黄／青変動操作を行うようにし、ステップＳ２６のクリック操作で、黄／青近似信号を入力できるようにする。結局、階調値変動手段４４０は、赤／緑変動操作を行っている状態（ステップＳ２３）において赤／緑近似信号が入力された時点（ステップＳ２４）で黄／青変動操作を開始し、黄／青変動操作を行っている状態（ステップＳ２５）において黄／青近似信号が入力された時点（ステップＳ２６）で赤／緑変動操作を開始し、赤／緑変動操作と黄／青変動操作とを交互に繰り返し実行し、かつ、階調値の変動量および変動範囲を徐々に減少させながら繰り返し実行することになる。また、比較結果入力手段４３０は、変動量が所定の規定値に達した後に、赤／緑近似信号と黄／青近似信号との双方の入力が完了した場合に、比較対象が一致した旨の比較結果が入力されたものとして取り扱うことになる。
【０２４７】
なお、黄／青変動操作中に、図２８に示す循環変動や往復変動を行う場合は、若干留意すべき事項がある。まず、循環変動を行う場合には、原色Ｒか原色Ｇかの少なくともいずれか一方の階調値が最大階調値を上回ってしまう場合に、原色Ｒの階調値か原色Ｇの階調値か、いずれか小さい方が最小階調値側へと循環し、かつ、両階調値の差が一定となるようにする処理を行うことになる。たとえば、０〜２５５の変動範囲が設定されている状態において、（Ｒ＝２００，Ｇ＝１００）→（Ｒ＝２０５，Ｇ＝１０５）→（Ｒ＝２１０，Ｇ＝１１０）→（Ｒ＝２１５，Ｇ＝１１５）→……と、徐々に増加させていった結果、（Ｒ＝２５５，Ｇ＝１５５）に到達してしまった場合、原色Ｒの階調値が最大階調値を上回ってしまうことになるので、小さい方の原色Ｇの階調値（Ｇ＝１５５）を最小階調値側へと循環させ、たとえば、Ｇ＝０に設定する。そして、もう一方の原色Ｒの階調値は、原色Ｇの階調値との差が一定となるように、Ｒ＝１００に設定すればよい。そうすれば、原色Ｒ，Ｇの階調値の差を常に１００に維持したまま、循環変動を行うことができる。同様に、原色Ｒか原色Ｇかの少なくともいずれか一方の階調値が最小階調値を下回ってしまう場合には、原色Ｒの階調値か原色Ｇの階調値か、いずれか大きい方が最大階調値側へと循環し、かつ、両階調値の差が一定となるようにする処理を行えばよい。
【０２４８】
また、往復変動を行う場合には、原色Ｒか原色Ｇかの少なくともいずれか一方の階調値が最大階調値を上回ってしまう場合、原色Ｒの階調値と原色Ｇの階調値との双方について、変動量を減算する変動操作に切り換える折り返し処理を行えばよい。たとえば、０〜２５５の変動範囲が設定されている状態において、（Ｒ＝２００，Ｇ＝１００）→（Ｒ＝２０５，Ｇ＝１０５）→（Ｒ＝２１０，Ｇ＝１１０）→（Ｒ＝２１５，Ｇ＝１１５）→……と、徐々に増加させていった結果、（Ｒ＝２５５，Ｇ＝１５５）に到達してしまった場合、原色Ｒの階調値が最大階調値を上回ってしまうことになるので、今度は、（Ｒ＝２５０，Ｇ＝１５０）→（Ｒ＝２４５，Ｇ＝１４５）→（Ｒ＝２４０，Ｇ＝１４０）→……と、双方の階調値を減じる変動操作に切り換えればよい。そうすれば、原色Ｒ，Ｇの階調値の差を常に１００に維持したまま、往復変動を行うことができる。同様に、原色Ｒか原色Ｇかの少なくともいずれか一方の階調値が最小階調値を下回ってしまう場合には、原色Ｒの階調値と原色Ｇの階調値との双方について、変動量を加算する変動操作に切り換える折り返し処理を行えばよい。
【０２４９】
以上説明したように、本発明の実施の形態によれば、モニタ特性測定装置１０１は、モニタ２０７の種類に応じて、ＲＧＢ原色の色度を設定し、目視または測定器１０５を用いて、ＲＧＢ単色のグラデーションではなく、無彩色のグラデーションによってＲＧＢ原色の階調再現特性を測定し、目視または測定器１０５を用いて、当該基準白色を、所定の照明環境下で測色し、白色色度を測定し、これらの測定結果であるＲＧＢ原色の色度、ＲＧＢ原色の階調再現特性を示すトーン曲線、白色色度等のデータから、モニタプロファイルを作成、保持する。
【０２５０】
これにより、本発明は、加法混色が成立しないモニタにおいて、加法混色が成立するとして処理した場合、無彩色近傍での色・階調再現特性の計算精度が向上する。一方、高彩度色に対しては、精度向上効果は見込めない。しかし、人間は、無彩色近傍における色の差に対する感度は、彩度の高い色に比べて高く、また、自然画像には、彩度の高い色よりも、無彩色近傍の色のほうが多く含まれているため、無彩色近傍での精度向上は、高彩度色の精度向上よりも、効果が高いといえる。したがって、効率良く、モニタの色・階調再現特性を向上させることが可能とし、個々のモニタの表示特性に応じた高精度な補正を行うことを可能とする。
【０２５１】
尚、図４、図５、図１６、図３０、図３１、図３２等に示す処理を行うプログラムはＣＤ−ＲＯＭ等の記録媒体に保持させて流通させてもよいし、このプログラムを通信回線を介して送受することもできる。
【０２５２】
以上、添付図面を参照しながら、本発明に係るモニタプロファイル作成システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０２５３】
【図１】本実施の形態に係るモニタプロファイル作成システム１００の概略構成を示す図
【図２】モニタ特性測定装置１０１のハードウェア構成図
【図３】モニタプロファイル作成システム関連ファイルのデータ構造を示す図
【図４】モニタプロファイル作成システム１００の処理手順を示すフローチャート
【図５】モニタプロファイル作成システム１００の処理手順を示すフローチャート
【図６】モニタ種類の選択画面６０１を示す図
【図７】階調の調整画面６０２を示す図
【図８】白色の調整画面６０３を示す図
【図９】モニタの一般的な階調再現特性を示すグラフ
【図１０】目視により階調再現特性を測定する代表的な方法の基本原理を示す図であり、図（ａ）はオペレータに提示するテストパターンを示す平面図、図（ｂ）はこのテストパターン内の第２属性の領域２０の部分拡大図
【図１１】図１２に示すテストパターンを用いた測定結果に基づいて求められた階調再現特性を示すグラフを示す図
【図１２】一般的なカラーモニタについて、各原色ごとの階調再現特性を測定した結果を示すグラフ
【図１３】明るさ変動操作および色変動操作をオペレータの操作入力に基づいて行う場合に用いる操作パネルの一例を示す平面図
【図１４】明るさ変動操作および色変動操作をオペレータの操作入力に基づいて行う場合に用いる操作パネルの別な一例を示す平面図
【図１５】明るさ変動操作および色変動操作を自動的に行わせ、オペレータに一致入力操作を行わせる場合に用いる操作パネルの一例を示す平面図
【図１６】明るさを一致させる操作と色を一致させる操作を交互に繰り返し実行する処理手順の一例を示すフローチャート
【図１７】５点Ｏ，Ｑ１，Ｑ２，Ｑ３，Ｐを通る近似関数曲線を演算により求める実施形態を説明するためのグラフ
【図１８】５点Ｏ，Ｑ１，Ｑ２，Ｑ３，Ｐを通る近似関数曲線がＳ字カーブになる場合の演算方法を説明するためのグラフ
【図１９】より好ましい測定結果を得ることができる新規なテストパターンを示す平面図（図（ａ））およびこのテストパターン内の第２属性の領域６０内に表示される参照パターンの拡大図（図（ｂ））
【図２０】矩形状の単位セルを二次元行列状に配列した参照パターンを用いて、参照輝度２５％および７５％の参照パターンを形成した例を示す平面図
【図２１】同一半径ｒの円により、同一属性の領域７０を構成し、二次元平面上に所定ピッチで配置した例を示す平面図
【図２２】一対の対象物（円形の同一属性の領域）７０をピッチＰｘで配置した場合の視覚系の感度を説明する平面図
【図２３】人間の視覚系の感度特性を示すグラフであり、横軸は、観察対象物の空間周波数（単位：ｃｙｃｌｅ／ｄｅｇ）を対数尺度で示し、縦軸は、対象物の明暗差および色差を弁別する人間の視覚系の相対感度値を示す。
【図２４】図２４に示すグラフから、各最適値を抽出して示す表
【図２５】モニタの階調再現特性測定処理の基本構成を示すブロック図
【図２６】カラーモニタの白色色度測定処理の構成を示すブロック図
【図２７】図２６に示す白色色度測定処理による測定作業に利用する操作パネルの一例を示す平面図
【図２８】特定色の階調値を変動させる際の循環変動の操作と往復変動の操作とを示す図
【図２９】図２６に示す白色色度測定処理による測定作業に利用する操作パネルの別な一例を示す平面図
【図３０】図２９に示す操作パネルを用いた測定手順を示すフローチャート
【図３１】白色色度測定処理における最も実用的な測定手順を示すフローチャート
【図３２】測定器１０５を用いたモニタプロファイル作成システム１００の処理手順を示すフローチャート
【図３３】階調再現特性の測定結果を示す図
【図３４】図３３の結果から、階調再現特性を示すグラフ
【図３５】液晶モニタの色再現原理７００を示す図
【図３６】目視により測定するモニタプロファイル作成システム１００の概略構成を示す図
【符号の説明】
【０２５４】
１００………モニタプロファイル作成システム
１０１………モニタ特性測定装置（パーソナルコンピュータ）
１０５………測定器
２０１………制御部
２０２………記憶装置
２０７………モニタ
２１０………階調値指定手段
２２０………参照パターン生成手段
２３０………パターン表示装置
２４０………階調値変動手段
２５０………一致信号入力手段
２５１………明るさ一致信号入力手段
２５２………色一致信号入力手段
２６０………特性演算手段 
３０１………ＲＧＢ原色色度データ
３０２………モニタプロファイル
４１０………テストパターン表示手段
４２０………階調値格納手段
４３０………比較結果入力手段
４４０………階調値変動手段
４５０………測定結果出力手段
ＲＥ………基準となる白色を示す基準体
Ｔ１、Ｔ２………テストパターン
【図１】
2005208982.tif 000003
【図２】
2005208982.tif 000004
【図３】
2005208982.tif 000005
【図４】
2005208982.tif 000006
【図５】
2005208982.tif 000007
【図６】
2005208982.tif 000008
【図７】
2005208982.tif 000009
【図８】
2005208982.tif 000010
【図９】
2005208982.tif 000011
【図１０】
2005208982.tif 000012
【図１１】
2005208982.tif 000013
【図１２】
2005208982.tif 000014
【図１３】
2005208982.tif 000015
【図１４】
2005208982.tif 000016
【図１５】
2005208982.tif 000017
【図１６】
2005208982.tif 000018
【図１７】
2005208982.tif 000019
【図１８】
2005208982.tif 000020
【図１９】
2005208982.tif 000021
【図２０】
2005208982.tif 000022
【図２１】
2005208982.tif 000023
【図２２】
2005208982.tif 000024
【図２３】
2005208982.tif 000025
【図２４】
2005208982.tif 000026
【図２５】
2005208982.tif 000027
【図２６】
2005208982.tif 000028
【図２７】
2005208982.tif 000029
【図２８】
2005208982.tif 000030
【図２９】
2005208982.tif 000031
【図３０】
2005208982.tif 000032
【図３１】
2005208982.tif 000033
【図３２】
2005208982.tif 000034
【図３３】
2005208982.tif 000035
【図３４】
2005208982.tif 000036
【図３５】
2005208982.tif 000037
【図３６】
2005208982.tif 000038